(57)【要約】  ワイヤレス通信のための技法について説明する。ユーザ機器(UE)におけるワイヤレス通信のための方法は、複数の送信ビーム上でネットワークアクセスデバイスによって送信されたビームトレーニングシーケンスを受信するステップと、受信されたビームトレーニングシーケンスに少なくとも部分的に基づいて、UEのアンテナサブアレイとUEのトランシーバユニット(TXRU)の間で信号を経路指定するための少なくとも1つの構成に対応する複数のビームの1つまたは複数のセットを識別するステップと、複数のビームの識別された1つまたは複数のセットの指示をネットワークアクセスデバイスに送信するステップとを含み得る。ネットワークアクセスデバイスにおけるワイヤレス通信のための方法は、ビームトレーニングシーケンスを送信するステップと、指示を受信するステップと、受信された指示に少なくとも部分的に基づいて、UEと通信するために使用するための複数のビームの1つまたは複数のセットの複数のビームのセットを選択するステップとを含み得る。
2020503802.tif 000002
【特許請求の範囲】
【請求項１】
ユーザ機器(UE)におけるワイヤレス通信のための方法であって、
複数の送信ビーム上でネットワークアクセスデバイスによって送信されたビームトレーニングシーケンスを受信するステップと、
前記受信されたビームトレーニングシーケンスに少なくとも部分的に基づいて、前記UEのアンテナサブアレイと前記UEのトランシーバユニット(TXRU)との間で信号を経路指定するための少なくとも1つの構成に対応するマルチ送信ビームの1つまたは複数のセットを識別するステップと、
マルチ送信ビームの前記識別された1つまたは複数のセットの指示を前記ネットワークアクセスデバイスに送信するステップと
を含む、方法。
【請求項２】
マルチ送信ビームの前記1つまたは複数のセットの前記指示によって識別されたマルチ送信ビームのセットに少なくとも部分的に基づいて、多入力多出力(MIMO)送信を使用して前記ネットワークアクセスデバイスと通信するステップをさらに含む、請求項1に記載の方法。
【請求項３】
マルチ送信ビームの前記1つまたは複数のセットの前記指示によって識別されたマルチ送信ビームのセットに少なくとも部分的に基づいて、前記ネットワークアクセスデバイスとビーム精緻化手順を実行するステップをさらに含む、請求項1に記載の方法。
【請求項４】
前記ビーム精緻化手順を実行するための要求を前記ネットワークアクセスデバイスに送信するステップをさらに含む、請求項3に記載の方法。
【請求項５】
マルチ送信ビームの前記1つまたは複数のセットを前記識別するステップが、前記受信されたビームトレーニングシーケンスに少なくとも部分的に基づいて、無線周波数(RF)通信多重化を実現するために使用可能なマルチ送信ビームの第1のセット、RF通信ダイバーシティを実現するために使用可能なマルチ送信ビームの第2のセット、またはそれらの組合せを識別するステップを含む、請求項1に記載の方法。
【請求項６】
マルチ送信ビームの前記識別された1つまたは複数のセットの前記指示が、
マルチ送信ビームの前記識別された1つまたは複数のセットの第1の指示、または
前記UEのアンテナサブアレイと前記UEのTXRUとの間で信号を経路指定するための任意の構成に対応しないマルチ送信ビームの1つまたは複数のセットの第2の指示、または
前記複数の送信ビームの各受信されたビームに対する、ビームを受信するために使用可能な前記UEの1つまたは複数のTXRUのセットの第3の指示、または
前記複数の送信ビームの各受信されたビームに対する、前記ビームを受信するために使用可能な、前記UEの1つまたは複数のTXRUと前記UEの関連する経路指定構成パラメータとのセットの第4の指示、または
それらの組合せ
を少なくとも含む、請求項1に記載の方法。
【請求項７】
マルチ送信ビームの前記識別された1つまたは複数のセットの前記指示を前記送信するステップが、前記複数の送信ビームに関連する1つまたは複数の周波数よりも低い周波数に関連するチャネル上で、マルチ送信ビームの前記識別された1つまたは複数のセットの前記指示を前記ネットワークアクセスデバイスに送信するステップを含む、請求項1に記載の方法。
【請求項８】
マルチ送信ビームの前記1つまたは複数のセットを前記識別するステップが、前記UEの無線周波数(RF)アーキテクチャ、多入力多出力(MIMO)送信モード、前記複数の送信ビームに対する信号強度、またはそれらの組合せに少なくとも部分的に基づいて、マルチ送信ビームの前記1つまたは複数のセットを識別するステップを含む、請求項1に記載の方法。
【請求項９】
前記UEの前記RFアーキテクチャに少なくとも部分的に基づいて、マルチ送信ビームの前記1つまたは複数のセットを前記識別するステップが、前記UEのアンテナサブアレイと前記UEのTXRUとの間で信号を経路指定するための代替構成、アナログ領域においてビームを結合させるための前記UEの第1の能力、デジタル領域においてビームを結合させるための前記UEの第2の能力、またはそれらの組合せに少なくとも部分的に基づいて、マルチ送信ビームの前記1つまたは複数のセットを識別するステップを含む、請求項8に記載の方法。
【請求項１０】
前記受信されたビームトレーニングシーケンスの前記複数の送信ビームに少なくとも部分的に基づいて、前記ネットワークアクセスデバイスと前記UEとの間の通信のために使用可能な1つまたは複数の送信ビームを識別するステップと、
前記ネットワークアクセスデバイスと前記UEとの間の通信のために使用可能な1つまたは複数の送信ビームの前記識別されたセットの第2の指示を前記ネットワークアクセスデバイスに送信するステップと
をさらに含む、請求項1に記載の方法。
【請求項１１】
マルチ送信ビームの前記1つまたは複数のセットが、前記UEのアンテナサブアレイと前記UEのTXRUとの間で信号を経路指定するための受信構成、前記UEのTXRUと前記UEのアンテナサブアレイとの間で信号を経路指定するための送信構成、またはそれらの組合せにおいて使用可能である、請求項1に記載の方法。
【請求項１２】
ネットワークアクセスデバイスにおけるワイヤレス通信のための方法であって、
複数の送信ビーム上でビームトレーニングシーケンスをユーザ機器(UE)に送信するステップと、
前記UEのアンテナサブアレイと前記UEのトランシーバユニット(TXRU)との間で信号を経路指定するための少なくとも1つの構成に対応するマルチ送信ビームの1つまたは複数のセットの指示を前記UEから受信するステップと、
前記受信された指示に少なくとも部分的に基づいて、前記UEと通信するために使用するためのマルチ送信ビームの前記1つまたは複数のセットのうちのマルチ送信ビームのセットを選択するステップと
を含む、方法。
【請求項１３】
マルチ送信ビームの前記選択されたセットに少なくとも部分的に基づいて、多入力多出力(MIMO)送信を使用して前記UEと通信するステップをさらに含む、請求項12に記載の方法。
【請求項１４】
マルチ送信ビームの前記選択されたセットに少なくとも部分的に基づいて、前記UEとビーム精緻化手順を実行するステップをさらに含む、請求項12に記載の方法。
【請求項１５】
前記ビーム精緻化手順を実行するための要求を前記UEから受信するステップをさらに含む、請求項14に記載の方法。
【請求項１６】
ワイヤレス通信のための装置であって、
複数の送信ビーム上でネットワークアクセスデバイスによって送信されたビームトレーニングシーケンスを受信するための手段と、
前記受信されたビームトレーニングシーケンスに少なくとも部分的に基づいて、ユーザ機器(UE)のアンテナサブアレイと前記UEのトランシーバユニット(TXRU)との間で信号を経路指定するための少なくとも1つの構成に対応するマルチ送信ビームの1つまたは複数のセットを識別するための手段と、
マルチ送信ビームの前記識別された1つまたは複数のセットの指示を前記ネットワークアクセスデバイスに送信するための手段と
を備える、装置。
【請求項１７】
マルチ送信ビームの前記1つまたは複数のセットの前記指示によって識別されたマルチ送信ビームのセットに少なくとも部分的に基づいて、多入力多出力(MIMO)送信を使用して前記ネットワークアクセスデバイスと通信するための手段をさらに含む、請求項16に記載の装置。
【請求項１８】
マルチ送信ビームの前記1つまたは複数のセットの前記指示によって識別されたマルチ送信ビームのセットに少なくとも部分的に基づいて、前記ネットワークアクセスデバイスとビーム精緻化手順を実行するための手段をさらに含む、請求項16に記載の装置。
【請求項１９】
前記ビーム精緻化手順を実行するための要求を前記ネットワークアクセスデバイスに送信するための手段をさらに含む、請求項18に記載の装置。
【請求項２０】
マルチ送信ビームの前記1つまたは複数のセットを前記識別するための手段が、前記受信されたビームトレーニングシーケンスに少なくとも部分的に基づいて、無線周波数(RF)通信多重化を実現するために使用可能なマルチ送信ビームの第1のセット、RF通信ダイバーシティを実現するために使用可能なマルチ送信ビームの第2のセット、またはそれらの組合せを識別するための手段を備える、請求項16に記載の装置。
【請求項２１】
マルチ送信ビームの前記識別された1つまたは複数のセットの前記指示が、
マルチ送信ビームの前記識別された1つまたは複数のセットの第1の指示、または
前記装置のアンテナサブアレイと前記装置のTXRUとの間で信号を経路指定するための任意の構成に対応しないマルチ送信ビームの1つまたは複数のセットの第2の指示、または
前記複数の送信ビームの各受信されたビームに対する、ビームを受信するために使用可能な前記装置の1つまたは複数のTXRUのセットの第3の指示、または
前記複数の送信ビームの各受信されたビームに対する、前記ビームを受信するために使用可能な、前記装置の1つまたは複数のTXRUと前記装置の関連する経路指定構成パラメータとのセットの第4の指示、または
それらの組合せ
を少なくとも含む、請求項16に記載の装置。
【請求項２２】
マルチ送信ビームの前記識別された1つまたは複数のセットの前記指示を前記送信するための手段が、前記複数の送信ビームに関連する1つまたは複数の周波数よりも低い周波数に関連するチャネル上で、マルチ送信ビームの前記識別された1つまたは複数のセットの前記指示を前記ネットワークアクセスデバイスに送信するための手段を含む、請求項16に記載の装置。
【請求項２３】
マルチ送信ビームの前記1つまたは複数のセットを前記識別するための手段が、前記UEの無線周波数(RF)アーキテクチャ、多入力多出力(MIMO)送信モード、前記複数の送信ビームに対する信号強度、またはそれらの組合せに少なくとも部分的に基づいて、マルチ送信ビームの前記1つまたは複数のセットを識別するための手段を含む、請求項16に記載の装置。
【請求項２４】
前記UEの前記RFアーキテクチャに少なくとも部分的に基づいて、マルチ送信ビームの前記1つまたは複数のセットを前記識別するための手段が、前記UEのアンテナサブアレイと前記UEのTXRUとの間で信号を経路指定するための代替構成、アナログ領域においてビームを結合させるための前記UEの第1の能力、デジタル領域においてビームを結合させるための前記UEの第2の能力、またはそれらの組合せに少なくとも部分的に基づいて、マルチ送信ビームの前記1つまたは複数のセットを識別するための手段を含む、請求項23に記載の装置。
【請求項２５】
前記受信されたビームトレーニングシーケンスの前記複数の送信ビームに少なくとも部分的に基づいて、前記ネットワークアクセスデバイスと前記UEとの間の通信のために使用可能な1つまたは複数の送信ビームを識別するための手段と、
前記ネットワークアクセスデバイスと前記UEとの間の通信のために使用可能な1つまたは複数の送信ビームの前記識別されたセットの第2の指示を前記ネットワークアクセスデバイスに送信するための手段と
をさらに備える、請求項16に記載の装置。
【請求項２６】
マルチ送信ビームの前記1つまたは複数のセットが、前記装置のアンテナサブアレイと前記装置のTXRUとの間で信号を経路指定するための受信構成、前記装置のTXRUと前記装置のアンテナサブアレイとの間で信号を経路指定するための送信構成、またはそれらの組合せにおいて使用可能である、請求項16に記載の装置。
【請求項２７】
ワイヤレス通信のための装置であって、
複数の送信ビーム上でビームトレーニングシーケンスをユーザ機器(UE)に送信するための手段と、
前記UEのアンテナサブアレイと前記UEのトランシーバユニット(TXRU)との間で信号を経路指定するための少なくとも1つの構成に対応するマルチ送信ビームの1つまたは複数のセットの指示を前記UEから受信するための手段と、
前記受信された指示に少なくとも部分的に基づいて、前記UEと通信するために使用するためのマルチ送信ビームの前記1つまたは複数のセットのうちのマルチ送信ビームのセットを選択するための手段と
を備える、装置。
【請求項２８】
マルチ送信ビームの前記選択されたセットに少なくとも部分的に基づいて、多入力多出力(MIMO)送信を使用して前記UEと通信するための手段をさらに含む、請求項27に記載の装置。
【請求項２９】
マルチ送信ビームの前記選択されたセットに少なくとも部分的に基づいて、前記UEとビーム精緻化手順を実行するための手段をさらに含む、請求項27に記載の装置。
【請求項３０】
前記ビーム精緻化手順を実行するための要求を前記UEから受信する手段をさらに含む、請求項29に記載の装置。
【発明の詳細な説明】
【技術分野】
【０００１】
相互参照
本特許出願は、その各々が本出願の譲受人に譲渡された、2017年1月9日に出願した「TECHNIQUES TO IDENTIFY SETS OF MULTIPLE BEAMS COMPATIBLE WITH CONFIGURATIONS FOR ROUTING SIGNALS IN A USER EQUIPMENT」と題する、Cezanneらよる米国仮特許出願第62/444,325号、および2017年9月22日に出願した「TECHNIQUES TO IDENTIFY SETS OF MULTIPLE BEAMS COMPATIBLE WITH CONFIGURATIONS FOR ROUTING SIGNALS IN A USER EQUIPMENT」と題する、Cezanneらによる米国特許出願第15/713,494号の優先権を主張するものである。
【０００２】
本開示は、たとえば、ワイヤレス通信システムに関し、より詳細には、ユーザ機器(UE)のアンテナサブアレイとUEのトランシーバユニット(TXRU)との間で信号を経路指定するための少なくとも1つの構成に対応する(compatible with)複数のビームの1つまたは複数のセットを識別するための技法に関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース(たとえば、時間、周波数、および電力)を共有することによって、複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、および直交周波数分割多元接続(OFDMA)システムがある。
【０００４】
ワイヤレス多元接続通信システムは、ユーザ機器(UE)としても知られている複数の通信デバイスのための通信を各々が同時にサポートする、いくつかのネットワークアクセスデバイスを含み得る。ロングタームエボリューション(LTE)ネットワークまたはLTEアドバンスト(LTE-A)ネットワークでは、ネットワークアクセスデバイスが、eNodeB(eNB)を定義する1つまたは複数の基地局のセットをもつ、基地局の形をとり得る。次世代、3GPP 5G、ミリメートル波(mmW)、または、new radio(NR)ネットワークでは、ネットワークアクセスデバイスは、スマート無線ヘッド(RH)またはアクセスノードコントローラ(ANC)の形をとることができ、スマート無線ヘッドのセットが、gNodeB(gNB)を定義するANCと通信する。ワイヤレスローカルエリアネットワーク(WLAN)では、ネットワークアクセスデバイスは、WLANアクセスポイントの形をとり得る。ネットワークアクセスデバイスは、(たとえば、ネットワークアクセスデバイスからUEへの送信のための)ダウンリンクチャネル上および(たとえば、UEからネットワークアクセスデバイスへの送信のための)アップリンクチャネル上でUEと通信し得る。
【０００５】
いくつかのワイヤレスデバイス(UE、ネットワークアクセスデバイスなど)は、1つまたは複数のアンテナサブアレイを使用して他のワイヤレスデバイスと通信することができる。いくつかの例では、アンテナサブアレイ内のアンテナのうちのいくつかまたはすべてを使用して、ビームフォーミングされた送信を送信することができる。ビームフォーミングされた送信は、アンテナサブアレイの異なるアンテナからの複数の同時送信を含み得る。同時送信は、ビームフォーミングされた送信(すなわち、ビーム方向の送信)を強め合い、かつ弱め合うように干渉して生成するために、プリコーダに従って、位相シフトおよび/または電力制御され得る。ビームフォーミングされていない送信または全方向送信と比較して、ビームフォーミングされた送信は、ビーム方向により高い無線周波数(RF)送信電力密度を有する場合があり、これは経路損失を低減し得る。
【発明の概要】
【課題を解決するための手段】
【０００６】
ビームフォーミングされた送信を使用して通信するネットワークアクセスデバイスおよびユーザ機器(UE)を含むワイヤレス通信デバイスでは、ネットワークアクセスデバイスは、複数の送信ビーム上でビームトレーニングシーケンスをUEに送信することができる。UEは、ビームの測定(たとえば、基準信号受信電力(RSRP)測定、受信信号強度指示(RSSI)測定、基準信号受信品質(RSRQ)測定など)を実行し、測定に少なくとも部分的に基づいて、ネットワークアクセスデバイスとUEとの間の通信のために使用可能な1つまたは複数のビームを識別し、1つまたは複数の使用可能なビームの指示をネットワークアクセスデバイスに提供することができる。1つまたは複数の使用可能なビームの指示は、ダイバーシティを備えていないランク1送信をスケジュールするためにネットワークアクセスデバイスによって使用され得る。しかしながら、1つまたは複数の使用可能なビームの指示は、ネットワークアクセスデバイスが、より高いランクの送信(たとえば、多重化利得を備えた多入力多出力(MIMO)送信)またはダイバーシティを備えた送信(たとえば、ダイバーシティ利得を備えたMIMO送信)のために使用可能な複数のビームのセットを識別することを可能にするには不十分な場合があり、ネットワークアクセスデバイスは、したがって、多重化利得またはダイバーシティ利得のために使用可能な複数のビームのセットを識別するために(試験送信を使用して)使用可能なビームの異なるセットを試験する場合がある。UEは、複数のアンテナサブアレイを有することができ、アンテナサブアレイの各々は、1つまたは複数のトランシーバユニット(TXRU)に経路指定され得る。UEは、UEのアンテナサブアレイとUEのTXRUとの間で信号を経路指定するための複数の構成を有することができ、アンテナサブアレイとTXRUとの間で、UEは、信号を経路指定するためにアンテナサブアレイとTXRUとの間で切り替えることができる。本開示で説明する技法によれば、UEは、UEがビームトレーニングシーケンスのビームに関して実行した測定に少なくとも部分的に基づいて、これらの経路指定構成のうちの少なくとも1つに対応する複数のビームの1つまたは複数のセットを識別することができる。UEはまた、複数のビームの識別された1つまたは複数のセットの指示をネットワークアクセスデバイスに送信し、ネットワークアクセスデバイスが、たとえば、複数のビームのランダムセットに関して試験送信を行わずに、UEと通信するために使用可能な複数のビームのセットを識別することを可能にし得る。ネットワークアクセスデバイスおよびUEは、MIMO送信に従って通信すること、ビーム精緻化手順を実行すること、または複数のビームの識別されたセットに少なくとも部分的に基づいて他の措置を講じることができる。
【０００７】
一例では、UEにおけるワイヤレス通信のための方法について説明する。この方法は、複数の送信ビーム上でネットワークアクセスデバイスによって送信されたビームトレーニングシーケンスを受信するステップと、受信されたビームトレーニングシーケンスに少なくとも部分的に基づいて、UEのアンテナサブアレイとUEのTXRUとの間で信号を経路指定するための少なくとも1つの構成に対応する複数のビームの1つまたは複数のセットを識別するステップと、複数のビームの識別された1つまたは複数のセットの指示をネットワークアクセスデバイスに送信するステップとを含み得る。
【０００８】
ワイヤレス通信のための装置について説明する。この装置は、複数の送信ビーム上でネットワークアクセスデバイスによって送信されたビームトレーニングシーケンスを受信するための手段と、受信されたビームトレーニングシーケンスに少なくとも部分的に基づいて、装置のアンテナサブアレイと装置のTXRUとの間で信号を経路指定するための少なくとも1つの構成に対応する複数のビームの1つまたは複数のセットを識別するための手段と、複数のビームの識別された1つまたは複数のセットの指示をネットワークアクセスデバイスに送信するための手段とを含み得る。
【０００９】
ワイヤレス通信のための別の装置について説明する。この装置は、プロセッサと、プロセッサと電子通信しているメモリと、メモリに記憶された命令とを含み得る。これらの命令は、プロセッサに、複数の送信ビーム上でネットワークアクセスデバイスによって送信されたビームトレーニングシーケンスを受信させ、受信されたビームトレーニングシーケンスに少なくとも部分的に基づいて、装置のアンテナサブアレイと装置のTXRUとの間で信号を経路指定するための少なくとも1つの構成に対応する複数のビームの1つまたは複数のセットを識別させ、複数のビームの識別された1つまたは複数のセットの指示をネットワークアクセスデバイスに送信させるように動作可能であり得る。
【００１０】
ワイヤレス通信のための非一時的コンピュータ可読媒体について説明する。この非一時的コンピュータ可読媒体は、プロセッサに、複数の送信ビーム上でネットワークアクセスデバイスによって送信されたビームトレーニングシーケンスを受信させ、受信されたビームトレーニングシーケンスに少なくとも部分的に基づいて、UEのアンテナサブアレイとUEのTXRUとの間で信号を経路指定するための少なくとも1つの構成に対応する複数のビームの1つまたは複数のセットを識別させ、複数のビームの識別された1つまたは複数のセットの指示をネットワークアクセスデバイスに送信させるように動作可能な命令を含み得る。
【００１１】
上記で説明した方法、装置、および非一時的コンピュータ可読媒体のいくつかの例は、複数のビームの1つまたは複数のセットの指示によって識別された複数のビームのセットに少なくとも部分的に基づいて、MIMO送信を使用してネットワークアクセスデバイスと通信することを含み得る。上記で説明した方法、装置、および非一時的コンピュータ可読媒体のいくつかの例は、複数のビームの1つまたは複数のセットの指示によって識別された複数のビームのセットに少なくとも部分的に基づいて、ネットワークアクセスデバイスとビーム精緻化手順を実行することを含み得る。上記で説明した方法、装置、および非一時的コンピュータ可読媒体のいくつかの例は、ビーム精緻化手順を実行する要求をネットワークアクセスデバイスに送信することを含み得る。いくつかの例では、複数のビームの1つまたは複数のセットを識別することは、受信されたビームトレーニングシーケンスに少なくとも部分的に基づいて、無線周波数(RF)通信多重化を実現するために使用可能な複数のビームの第1のセット、RF通信ダイバーシティを実現するために使用可能な複数のビームの第2のセット、またはそれらの組合せを識別することを含み得る。いくつかの例では、複数のビームの識別された1つまたは複数のセットの指示は、複数のビームの識別された1つまたは複数のセットの第1の指示、UEのアンテナサブアレイとUEのTXRUとの間で信号を経路指定するための任意の構成に対応しない複数のビームの1つまたは複数のセットの第2の指示、複数の送信ビームの各受信されたビームに対する、ビームを受信するために使用可能な、UEの1つまたは複数のTXRUのセットの第3の指示、複数の送信ビームの各受信されたビームに対する、ビームを受信するために使用可能な、UEの1つまたは複数のTXRUとUEの関連する経路指定構成パラメータとのセットの第4の指示、またはそれらの組合せを少なくとも含み得る。いくつかの例では、複数のビームの識別された1つまたは複数のセットの指示を送信することは、複数の送信ビームに関連する1つまたは複数の周波数よりも低い周波数に関連するチャネル上で、複数のビームの識別された1つまたは複数のセットの指示をネットワークアクセスデバイスに送信することを含み得る。
【００１２】
上記で説明した方法、装置、および非一時的コンピュータ可読媒体のいくつかの例では、複数のビームの1つまたは複数のセットを識別することは、UEのRFアーキテクチャ、MIMO送信モード、複数の送信ビームに対する信号強度、またはそれらの組合せに少なくとも部分的に基づいて、複数のビームの1つまたは複数のセットを識別することを含み得る。いくつかの例では、UEのRFアーキテクチャに少なくとも部分的に基づいて、複数のビームの1つまたは複数のセットを識別することは、UEのアンテナサブアレイとUEのTXRUとの間で信号を経路指定するための代替構成、アナログ領域においてビームを結合させるためのUEの第1の能力、デジタル領域においてビームを結合させるためのUEの第2の能力、またはそれらの組合せに少なくとも部分的に基づいて、複数のビームの1つまたは複数のセットを識別することを含み得る。上記で説明した方法、装置、および非一時的コンピュータ可読媒体のいくつかの例は、受信されたビームトレーニングシーケンスの複数の送信ビームに少なくとも部分的に基づいて、ネットワークアクセスデバイスとUEとの間の通信のために使用可能な1つまたは複数のビームを識別することと、ネットワークアクセスデバイスとUEとの間の通信のために使用可能な1つまたは複数のビームの識別されたセットの第2の指示をネットワークアクセスデバイスに送信することとを含み得る。いくつかの例では、複数のビームの1つまたは複数のセットは、UEのアンテナサブアレイとUEのTXRUとの間で信号を経路指定するための受信構成、UEのTXRUとUEのアンテナサブアレイとの間で信号を経路指定するための送信構成、またはそれらの組合せにおいて使用可能であり得る。
【００１３】
一例では、UEにおけるワイヤレス通信のための装置について説明する。この装置は、複数の送信ビーム上でネットワークアクセスデバイスによって送信されたビームトレーニングシーケンスを受信するための手段と、受信されたビームトレーニングシーケンスに少なくとも部分的に基づいて、UEのアンテナサブアレイとUEのTXRUとの間で信号を経路指定するための少なくとも1つの構成に対応する複数のビームの1つまたは複数のセットを識別するための手段と、複数のビームの識別された1つまたは複数のセットの指示をネットワークアクセスデバイスに送信するための手段とを含み得る。
【００１４】
いくつかの例では、装置は、複数のビームの1つまたは複数のセットの指示によって識別された複数のビームのセットに少なくとも部分的に基づいて、MIMO送信を使用してネットワークアクセスデバイスと通信するための手段を含み得る。いくつかの例では、装置は、複数のビームの1つまたは複数のセットの指示によって識別された複数のビームのセットに少なくとも部分的に基づいて、ネットワークアクセスデバイスとビーム精緻化手順を実行するための手段を含み得る。いくつかの例では、複数のビームの1つまたは複数のセットを識別するための手段は、受信されたビームトレーニングシーケンスに少なくとも部分的に基づいて、RF通信多重化を実現するために使用可能な複数のビームの第1のセット、RF通信ダイバーシティを実現するために使用可能な複数のビームの第2のセット、またはそれらの組合せを識別するための手段を含み得る。いくつかの例では、複数のビームの識別された1つまたは複数のセットの指示は、複数のビームの識別された1つまたは複数のセットの第1の指示、UEのアンテナサブアレイとUEのTXRUとの間で信号を経路指定するための任意の構成に対応しない複数のビームの1つまたは複数のセットの第2の指示、複数の送信ビームの各受信されたビームに対する、ビームを受信するために使用可能な、UEの1つまたは複数のTXRUのセットの第3の指示、複数の送信ビームの各受信されたビームに対する、ビームを受信するために使用可能な、UEの1つまたは複数のTXRUとUEの関連する経路指定構成パラメータとのセットの第4の指示、またはそれらの組合せを少なくとも含み得る。いくつかの例では、複数のビームの1つまたは複数のセットを識別するための手段は、UEのRFアーキテクチャ、MIMO送信モード、複数の送信ビームに対する信号強度、またはそれらの組合せに少なくとも部分的に基づいて、複数のビームの1つまたは複数のセットを識別するための手段を含み得る。
【００１５】
一例では、ネットワークアクセスデバイスにおけるワイヤレス通信のための方法について説明する。この方法は、複数の送信ビーム上でビームトレーニングシーケンスをUEに送信するステップと、UEのアンテナサブアレイとUEのTXRUとの間で信号を経路指定するための少なくとも1つの構成に対応する複数のビームの1つまたは複数のセットの指示をUEから受信するステップと、受信された指示に少なくとも部分的に基づいて、UEと通信するために使用するための複数のビームの1つまたは複数のセットのうちの複数のビームのセットを選択するステップとを含み得る。
【００１６】
ワイヤレス通信のための装置について説明する。この装置は、複数の送信ビーム上でビームトレーニングシーケンスをUEに送信するための手段と、UEのアンテナサブアレイとUEのTXRUとの間で信号を経路指定するための少なくとも1つの構成に対応する複数のビームの1つまたは複数のセットの指示をUEから受信するための手段と、受信された指示に少なくとも部分的に基づいて、UEと通信するために使用するための複数のビームの1つまたは複数のセットのうちの複数のビームのセットを選択するための手段とを含み得る。
【００１７】
ワイヤレス通信のための別の装置について説明する。この装置は、プロセッサと、プロセッサと電子通信しているメモリと、メモリに記憶された命令とを含み得る。これらの命令は、プロセッサに、複数の送信ビーム上でビームトレーニングシーケンスをUEに送信させ、UEのアンテナサブアレイとUEのTXRUとの間で信号を経路指定するための少なくとも1つの構成に対応する複数のビームの1つまたは複数のセットの指示をUEから受信させ、受信された指示に少なくとも部分的に基づいて、UEと通信するために使用するための複数のビームの1つまたは複数のセットのうちの複数のビームのセットを選択させるように動作可能であり得る。
【００１８】
ワイヤレス通信のための非一時的コンピュータ可読媒体について説明する。この非一時的コンピュータ可読媒体は、プロセッサに、複数の送信ビーム上でビームトレーニングシーケンスをUEに送信させ、UEのアンテナサブアレイとUEのTXRUとの間で信号を経路指定するための少なくとも1つの構成に対応する複数のビームの1つまたは複数のセットの指示をUEから受信させ、受信された指示に少なくとも部分的に基づいて、UEと通信するために使用するための複数のビームの1つまたは複数のセットのうちの複数のビームのセットを選択させるように動作可能な命令を含み得る。
【００１９】
上記で説明した方法、装置、および非一時的コンピュータ可読媒体のいくつかの例は、複数のビームの選択されたセットに少なくとも部分的に基づいて、MIMO送信を使用してUEと通信することを含み得る。上記で説明した方法、装置、および非一時的コンピュータ可読媒体のいくつかの例は、複数のビームの選択されたセットに少なくとも部分的に基づいて、UEとビーム精緻化手順を実行することを含み得る。上に記載した方法、装置、および非一時的コンピュータ可読媒体のいくつかの例は、ビーム精緻化手順を実行するための要求をUEから受信するためのプロセス、特徴、手段、または命令をさらに含み得る。
【００２０】
上記は、以下の発明を実施するための形態がより良く理解され得るように、本開示による例の技法および技術的利点をかなり広く概説している。追加の技法および利点について以下で説明する。開示する概念および具体例は、本開示の同じ目的を遂行するための他の構造を修正または設計するための基礎として容易に利用され得る。そのような均等な構成は、添付の特許請求の範囲から逸脱しない。本明細書で開示する概念の特性、それらの構成と動作方法の両方が、関連する利点とともに、添付の図に関して検討されると以下の説明からより良く理解されよう。図の各々は、例示および説明のために提供され、特許請求の範囲の限定の定義として提供されるものではない。
【００２１】
以下の図面を参照することによって、本開示の本質および利点のさらなる理解が実現され得る。添付の図面において、類似の構成要素または機能は、同じ参照符号を有することがある。さらに、同じタイプの様々な構成要素は、参照符号の後に、ダッシュと、類似の構成要素を区別する第2の符号とを続けることによって、区別されることがある。第1の参照符号のみが本明細書において使用される場合、説明は、第2の参照符号にかかわらず、同じ第1の参照符号を有する同様の構成要素のうちのいずれにも適用可能である。
【図面の簡単な説明】
【００２２】
【図１】本開示の態様によるワイヤレス通信システムの一例を示す図である。
【図２】本開示の態様によるワイヤレス通信システムの一例を示す図である。
【図３】本開示の態様によるUEの1つの例示的なアーキテクチャを示す図である。
【図４】本開示の態様によるUEの1つの例示的なアーキテクチャを示す図である。
【図５】本開示の態様による、受信ビーム精緻化手順が実行されるワイヤレス通信システムの一例を示す図である。
【図６】本開示の態様による、受信ビーム精緻化手順が実行されるワイヤレス通信システムの一例を示す図である。
【図７】本開示の態様による、受信ビーム精緻化手順が実行されるワイヤレス通信システムの一例を示す図である。
【図８】本開示の態様による、送信ビーム精緻化手順が実行されるワイヤレス通信システムの一例を示す図である。
【図９】本開示の態様による、UEまたはネットワークアクセスデバイスにおけるワイヤレス通信をサポートする装置のブロック図である。
【図１０】本開示の態様による、UEにおけるワイヤレス通信をサポートする装置のブロック図である。
【図１１】本開示の態様によるワイヤレス通信マネージャのブロック図である。
【図１２】本開示の態様によるワイヤレス通信システムの図である。
【図１３】本開示の態様による、ネットワークアクセスデバイスにおけるワイヤレス通信をサポートする装置のブロック図である。
【図１４】本開示の態様によるワイヤレス通信マネージャのブロック図である。
【図１５】本開示の態様によるワイヤレス通信システムの図である。
【図１６】本開示の態様による、UEにおけるワイヤレス通信のための方法を示すフローチャートである。
【図１７】本開示の態様による、UEにおけるワイヤレス通信のための方法を示すフローチャートである。
【図１８】本開示の態様による、UEにおけるワイヤレス通信のための方法を示すフローチャートである。
【図１９】本開示の態様による、ネットワークアクセスデバイスにおけるワイヤレス通信のための方法を示すフローチャートである。
【発明を実施するための形態】
【００２３】
ユーザ機器(UE)が、UEのアンテナサブアレイとUEのトランシーバユニット(TXRU)との間で信号を経路指定するための少なくとも1つの構成に対応する複数のビームの1つまたは複数のセットを識別し、ネットワークアクセスデバイスに示す技法について説明する。ネットワークアクセスデバイスは、複数のビームの1つまたは複数のセットから複数のビームのセットを選択することができ、たとえば、(多重化利得および/またはダイバーシティ利得を備えた)多入力多出力(MIMO)送信を使用してUEと通信するため、または複数のビームの選択されたセットに対してビーム精緻化手順を実行するために、複数のビームの選択されたセットを使用することができる。
【００２４】
以下の説明は例を提供するものであり、特許請求の範囲に記載される範囲、適用可能性、または例を限定するものではない。本開示の範囲から逸脱することなく、説明する要素の機能および構成に変更が加えられることがある。様々な例は、必要に応じて、様々な手順または構成要素を省略し、置換し、または追加することがある。たとえば、説明する方法は、説明する順序とは異なる順序で実行されてよく、様々な動作が加えられ、省略され、または結合されてよい。また、いくつかの例に関して説明する特徴が、いくつかの他の例では組み合わされることがある。
【００２５】
図1は、本開示の態様によるワイヤレス通信システム100の一例を示す。ワイヤレス通信システム100は、ネットワークアクセスデバイス105(たとえば、gNB105-aと、アクセスノードコントローラ(ANC)105-b、および/または無線ヘッド(RH)105-c)と、UE115と、コアネットワーク130とを含み得る。いくつかの例では、ワイヤレス通信システム100は、ロングタームエボリューション(LTE)ネットワーク、LTEアドバンスト(LTE-A)ネットワーク、またはNew Radio(NR)ネットワークであり得る。場合によっては、ワイヤレス通信システム100は、拡張ブロードバンド通信、超高信頼(たとえば、ミッションクリティカル)通信、低レイテンシ通信、または低コストで低複雑度のデバイスを用いた通信をサポートし得る。
【００２６】
ネットワークアクセスデバイス105は、1つまたは複数の基地局アンテナを介してUE115とワイヤレス通信し得る。本明細書で説明するネットワークアクセスデバイス105は、基地トランシーバ局、無線基地局、アクセスポイント、無線トランシーバ、NodeB、eNodeB(eNB)、次世代NodeBもしくはギガnodeB(そのいずれもgNBと呼ばれることがある)、ホームNodeB、ホームeNodeB、または何らかの他の好適な用語を含むことがあり、またはそのように当業者によって呼ばれることがある。ワイヤレス通信システム100は、異なるタイプのネットワークアクセスデバイス105(たとえば、マクロセル基地局またはスモールセル基地局)を含み得る。本明細書で説明するUE115は、マクロeNB、スモールセルeNB、gNB、リレー基地局などを含む、様々なタイプのネットワークアクセスデバイス105および基地局と通信することが可能であり得る。
【００２７】
各ネットワークアクセスデバイス105は、様々なUE115との通信がサポートされる特定の地理的カバレージエリア110に関連付けられ得る。各ネットワークアクセスデバイス105は、通信リンクを介してそれぞれの地理的カバレージエリア110に対する通信カバレージを提供することができ、ネットワークアクセスデバイス105とUE115との間の通信リンクは、1つまたは複数のキャリアを利用することができる。ワイヤレス通信システム100内に示されている通信リンクは、UE115からネットワークアクセスデバイス105へのアップリンク送信、またはネットワークアクセスデバイス105からUE115へのダウンリンク送信を含み得る。ダウンリンク送信は、順方向リンク送信と呼ばれることもあり、アップリンク送信は、逆方向リンク送信と呼ばれることもある。
【００２８】
ネットワークアクセスデバイス105のための地理的カバレージエリア110は、地理的カバレージエリア110の一部分のみを構成するセクタに分割されてよく、セクタはそれぞれセルに関連付けられてよい。たとえば、各ネットワークアクセスデバイス105は、マクロセル、スモールセル、ホットスポット、もしくは他のタイプのセル、またはそれらの様々な組合せに通信カバレージを提供し得る。いくつかの例では、ネットワークアクセスデバイス105は、移動可能であってよく、したがって、移動する地理的カバレージエリア110に通信カバレージを提供することができる。いくつかの例では、異なる技術に関連する異なる地理的カバレージエリア110は、重複することがあり、異なる技術に関連する、重複する地理的カバレージエリア110は、同じネットワークアクセスデバイス105によって、または異なるネットワークアクセスデバイス105によってサポートされ得る。ワイヤレス通信システム100は、たとえば、異なるタイプのネットワークアクセスデバイス105が様々な地理的カバレージエリア110に対するカバレージを提供する異種LTE/LTE-AネットワークまたはNRネットワークを含み得る。
【００２９】
「セル」という用語は、ネットワークアクセスデバイス105と(たとえば、キャリア上で)通信するために使用される論理通信エンティティを指し、同じまたは異なるキャリアを介して動作する近隣セルを区別するための識別器(たとえば、物理セル識別器(PCID)、仮想セル識別器(VCID))に関連付けられてよい。いくつかの例では、キャリアは、複数のセルをサポートすることができ、異なるセルは、異なるタイプのデバイスにアクセスを提供し得る異なるプロトコルタイプ(たとえば、マシンタイプ通信(MTC)、狭帯域モノのインターネット(NB-IoT)、拡張型モバイルブロードバンド(eMBB)、またはその他)に従って構成され得る。場合によっては、「セル」という用語は、それを介して論理エンティティが動作する地理的カバレージエリア110(たとえば、セクタ)の一部分を指すことがある。
【００３０】
「キャリア」という用語は、通信リンク125上で通信をサポートするための定義された物理レイヤ構造を有する無線周波数スペクトルリソースのセットを指す。たとえば、通信リンク125のキャリアは、所与の無線アクセス技術に関する物理レイヤチャネルに従って動作する無線周波数スペクトル帯域の一部分を含み得る。各物理レイヤチャネルは、ユーザデータ、制御情報、または他のシグナリングを搬送することができる。キャリアは、事前定義された周波数チャネル(たとえば、発展型ユニバーサル地上波無線アクセス(UTRA)(E-UTRA)絶対無線周波数チャネル番号(EARFCN))に関連付けられてよく、UE115が発見するためのチャネルラスタに従って配置されてよい。キャリアは、ダウンリンクまたはアップリンク(たとえば、周波数分割複信(FDD)モードで)であってよいか、またはダウンリンク通信およびアップリンク通信を(たとえば、時分割複信(TDD)モードで)搬送するように構成されてよい。いくつかの例では、キャリア上で送信される信号波形は、(たとえば、直交周波数分割多重(OFDM)または離散フーリエ変換(DFT)拡散OFDM(DFT-s-OFDM)など、マルチキャリア変調(MCM)技法を使用して)複数のサブキャリアから構成され得る。
【００３１】
コアネットワーク130は、ユーザ認証、アクセス許可、追跡、インターネットプロトコル(IP)接続、および他のアクセス機能、ルーティング機能、またはモビリティ機能を提供してもよい。コアネットワーク130は、発展型パケットコア(EPC)であることがあり、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含み得る。MMEは、EPCに関連するネットワークアクセスデバイス105によってサービスされるUE115に対するモビリティ、認証、およびベアラ管理など、非アクセス層(たとえば、制御プレーン)機能を管理することができる。ユーザIPパケットは、それ自体がP-GWに接続され得るS-GWを通して転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスに対するアクセスを含み得る。
【００３２】
ネットワークアクセスデバイス105(たとえば、gNB105-aまたはANC105-b)の少なくともいくつかが、バックホールリンク132(たとえば、S1、S2など)を通してコアネットワーク130とインターフェースすることができ、UE115との通信のために無線構成およびスケジューリングを実行し得る。様々な例では、ANC105-bは、ワイヤード通信リンクまたはワイヤレス通信リンクであり得るバックホールリンク134(たとえば、X1、X2など)を介して、直接的または間接的に(たとえば、コアネットワーク130を通して)のいずれかで、互いと通信し得る。各ANC105-bはまた、いくつかのスマート無線ヘッド(たとえば、RH105-c)または送信/受信点(TRP)を通していくつかのUE115と通信し得る。ワイヤレス通信システム100の代替構成では、ANC105-bの機能は、ラジオヘッド105-cによって提供され得るか、またはgNB105-aのラジオヘッド105-cにわたって分散され得る。ワイヤレス通信システム100の別の代替構成(たとえば、LTE/LTE-A構成)では、無線ヘッド105-cは、基地局と置換されてよく、ANC105-bは、基地局コントローラ(またはコアネットワーク130に対するリンク)によって置換されてもよい。いくつかの例では、ワイヤレス通信システム100は、異なる無線アクセス技術(RAT)(たとえば、LTE/LTE-A、5G、Wi-Fiなど)に従って通信を受信/送信するための無線ヘッド105-c、基地局、および/または他のネットワークアクセスデバイス105の混合を含み得る。
【００３３】
ワイヤレス通信システム100は、一般に、300MHzから300GHzの範囲で、1つまたは複数の周波数スペクトル帯域を使用して動作し得る。概して、300MHzから3GHzの領域は、超高周波(UHF)領域またはデシメートル帯域として知られているが、これは、波長の長さが、およそ1デシメートルから1メートルに及ぶからである。UHF波は、建物および環境特性によってブロックされ得るか、またはリダイレクトされ得る。しかしながら、これらの波は、マクロセルが屋内に位置するUE115にサービスを提供するのに十分に構造を貫通し得る。UHF波の送信は、300MHz以下のスペクトルの高周波(HF)部分または超高周波(VHF:very high frequency)部分のより低い周波数およびより長い波を使用する送信と比較して、より小型のアンテナおよびより短い距離(たとえば、100km未満)に関連付けられ得る。
【００３４】
ワイヤレス通信システム100は、センチメートル帯域としても知られている、3GHzから30GHzの周波数スペクトル帯域を使用して超高周波(SHF:super high frequency)領域内で動作することもできる。SHF領域は、他のユーザからの干渉を許容し得るデバイスによって日和見的に使用され得る5GHz産業科学医療(ISM)帯域などの帯域を含む。
【００３５】
ワイヤレス通信システム100は、ミリメートル帯域としても知られている、(たとえば、30GHzから300GHzの)スペクトルの極高周波(EHF:extremely high frequency)領域内で動作することもできる。いくつかの例では、ワイヤレス通信システム100は、UE115とネットワークアクセスデバイス105との間のミリメートル波(mmW)通信をサポートすることができ、それぞれのデバイスのEHFアンテナは、UHFアンテナよりも、さらに小さくてもよく、より密に間隔があけられてもよい。場合によっては、これは、UE115内のアンテナアレイの使用を容易にし得る。しかしながら、EHF送信の伝搬は、SHF送信またはUHF送信よりもさらに大きい大気減衰およびより短い距離を受けることがある。本明細書で開示する技法は、1つまたは複数の異なる周波数領域を使用する送信にわたって採用されてよく、これらの周波数領域にわたる帯域の指定された使用は、国ごとにまたは規制団体ごとに異なり得る。
【００３６】
マクロセルは、比較的大きい地理的エリア(たとえば、半径数キロメートル)を対象とすることができ、ネットワークプロバイダとのサービスに加入しているUE115による無制限アクセスを可能にし得る。スモールセルは、マクロセルと比較すると低電力の無線ヘッドまたは基地局を含んでよく、マクロセルと同じまたは異なる無線周波数スペクトル帯域において動作してよい。スモールセルは、様々な例による、ピコセル、フェムトセル、およびマイクロセルを含んでもよい。ピコセルは、比較的小さい地理的エリアを対象とすることができ、ネットワークプロバイダとのサービスに加入しているUE115による無制限アクセスを可能にし得る。フェムトセルも、比較的小さい地理的エリア(たとえば、自宅)を対象とすることができ、フェムトセルとの関連性を有するUE115(たとえば、限定加入者グループ(CSG)内のUE、自宅内のユーザのためのUEなど)による制限付きアクセスを提供し得る。マクロセルのためのgNBは、マクロgNBと呼ばれることがある。スモールセルのためのgNBは、スモールセルgNB、ピコgNB、フェムトgNB、またはホームgNBと呼ばれることがある。gNBは、1つまたは複数の(たとえば、2つ、3つ、4つなどの)セル(たとえば、コンポーネントキャリア)をサポートし得る。
【００３７】
ワイヤレス通信システム100は、同期動作または非同期動作をサポートし得る。同期動作の場合、gNB105-aおよび/または無線ヘッド105-cは、同様のフレームタイミングを有し得、異なるgNB105-aおよび/または無線ヘッド105-cからの送信は、時間的にほぼ位置合わせされ得る。非同期動作の場合、gNB105-aおよび/または無線ヘッド105-cは、異なるフレームタイミングを有し得、異なるgNB105-aおよび/または無線ヘッド105-cからの送信は、時間的に位置合わせされないことがある。本明細書で説明する技法は、同期動作または非同期動作のいずれに使用されてもよい。
【００３８】
開示する様々な例のうちのいくつかに適合し得る通信ネットワークは、階層化プロトコルスタックに従って動作するパケットベースネットワークであってよい。ユーザプレーンでは、ベアラまたはパケットデータコンバージェンスプロトコル(PDCP:Packet Data Convergence Protocol)レイヤにおける通信は、IPベースであってよい。無線リンク制御(RLC)レイヤは、場合によっては、論理チャネル上で通信するために、パケットのセグメント化および再アセンブリを実行し得る。媒体アクセス制御(MAC)レイヤは、優先度処理、およびトランスポートチャネルへの論理チャネルの多重化を実行し得る。MACレイヤはまた、リンク効率を改善するために、ハイブリッド自動再送要求(ARQ)(HARQ)を使用してMACレイヤにおける再送信を行ってよい。制御プレーンでは、無線リソース制御(RRC)プロトコルレイヤが、ユーザプレーンデータのための無線ベアラをサポートする、UE115と無線ヘッド105-c、ANC105-b、またはコアネットワーク130との間のRRC接続の確立、構成、および保守を行うことができる。物理(PHY)レイヤにおいて、トランスポートチャネルは物理チャネルにマッピングされ得る。
【００３９】
UE115は、ワイヤレス通信システム100全体にわたって分散され得、各UE115は固定またはモバイルであり得る。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもあり、ここで、「デバイス」は、ユニット、局、端末、またはクライアントと呼ばれることもある。UE115は、アプライアンス、車両、メーターなど、様々な物品の形で実装され得る、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局、モノのインターネット(IoT:Internet of Thing)デバイス、あらゆるモノのインターネット(IoE:Internet of Everything)デバイス、またはMTCデバイスなどであってよい。UE115は、マクロgNB、スモールセルgNB、中継基地局などを含む、様々なタイプのgNB105-a、無線ヘッド105-c、基地局、アクセスポイント、または他のネットワークアクセスデバイスと通信することが可能であり得る。
【００４０】
場合によっては、UE115はまた、(たとえば、ピアツーピア(P2P)プロトコルまたはデバイスツーデバイス(D2D)プロトコルを使用して)他のUE115と直接通信することが可能であり得る。D2D通信を利用するUE115のグループのうちの1つまたは複数は、ネットワークアクセスデバイス105の地理的カバレッジエリア110内にあり得る。そのようなグループ内の他のUE115は、ネットワークアクセスデバイス105の地理的カバレッジエリア110の外にあるか、または別様にネットワークアクセスデバイス105からの送信を受信できない状況にあり得る。場合によっては、D2D通信を介して通信するUE115のグループは、各UE115がグループ内の1つ1つの他のUE115に送信する1対多(1:M)システムを利用し得る。場合によっては、ネットワークアクセスデバイス105は、D2D通信のためのリソースのスケジューリングを容易にする。他の場合には、D2D通信は、ネットワークアクセスデバイス105の関与なしに、UE115同士の間で実行される。
【００４１】
ワイヤレス通信システム100内に示す通信リンク125は、UE115から無線ヘッド105-cへのアップリンク(UL)、および/または無線ヘッド105-cからUE115へのダウンリンク(DL)を含み得る。ダウンリンクは順方向リンクと呼ばれることもあり、アップリンクは逆方向リンクと呼ばれることもある。制御情報およびデータは、様々な技法に従ってアップリンクまたはダウンリンク上で多重化され得る。制御情報およびデータは、たとえば、TDM技法、周波数分割多重化(FDM)技法、またはハイブリッドTDM-FDM技法を使用して、アップリンクまたはダウンリンク上で多重化され得る。
【００４２】
各通信リンク125は、1つまたは複数のキャリアを含むことがあり、各キャリアは、1つまたは複数の無線接続技術に従って変調される複数のサブキャリア(たとえば、異なる周波数の波形信号)からなる信号であり得る。各被変調信号は、異なるサブキャリア上で送信されてよく、制御情報(たとえば、基準信号、制御チャネルなど)、オーバーヘッド情報、ユーザデータなどを搬送してよい。通信リンク125は、(たとえば、対のスペクトルリソースを使用する)FDD技法または(たとえば、不対のスペクトルリソースを使用する)時分割複信技法を使用して、双方向通信を送信し得る。FDDのためのフレーム構造(たとえば、フレーム構造タイプ1)およびTDDのためのフレーム構造(たとえば、フレーム構造タイプ2)が定義され得る。
【００４３】
ワイヤレス通信システム100のいくつかの例では、ネットワークアクセスデバイス105(たとえば、無線ヘッド105-c)およびUE115は、ネットワークアクセスデバイス105とUE115との間の通信品質および信頼性を改善するために、送信ダイバーシティ、受信ダイバーシティ、MIMO通信、および/またはビームフォーミングなどの技法を採用するために使用され得る複数のアンテナサブアレイを含み得る。たとえば、ワイヤレス通信システム100は、送信デバイス(たとえば、ネットワークアクセスデバイス105)と受信デバイス(たとえば、UE115)との間の送信方式を使用することができ、ここで、送信デバイスは、複数のアンテナを装備し、受信デバイスは、1つまたは複数のアンテナを装備する。MIMO通信は、空間多重化と呼ばれることがある、異なる空間レイヤを介して複数の信号を送信または受信することによってスペクトル効率を高めるためにマルチパス信号伝搬を採用することができる。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム(たとえば、同じコード語)または異なるデータストリームに関連するビットを搬送し得る。異なる空間レイヤは、チャネル測定および報告のために使用される異なるアンテナポートに関連付けられてよい。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。追加または代替として、ネットワークアクセスデバイス105およびUE115は、同じコード化データまたは異なるコード化データを搬送する複数の空間レイヤを送信するために、マルチパス環境を利用し得るMIMO技法を採用し得る。場合によっては、ビームフォーミング(たとえば、方向性送信)などの信号処理技法が、信号エネルギーをコヒーレントに結合させるため、および特定のビーム方向における経路損失を克服するために、MIMO技法とともに使用され得る。プリコーディング(たとえば、異なる経路もしくはレイヤ上での、または異なるアンテナからの重み付き送信)が、MIMO技法またはビームフォーミング技法とともに使用され得る。
【００４４】
受信デバイス(たとえば、mmW受信デバイスの一例であり得るUE115)は、同期信号、基準信号、ビーム選択信号、または他の制御信号など、様々な信号をネットワークアクセスデバイス105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれも、異なる受信ビームまたは受信方向に従った「リスニング」と呼ばれることがある。いくつかの例では、受信デバイスは、(たとえば、データ信号を受信するとき)単一のビーム方向に沿って受信するために単一の受信ビームを使用することができる。単一の受信ビームは、異なる受信ビーム方向に従ったリスニングに少なくとも部分的に基づいて判定されたビーム方向(たとえば、複数のビーム方向に従ったリスニングに少なくとも部分的に基づいて、最高信号強度、最高信号対雑音比、または別様に、許容信号品質を有すると判定されたビーム方向)で位置合わせされ得る。
【００４５】
場合によっては、ネットワークアクセスデバイス105またはUE115のアンテナは、MIMO動作をサポートし得るか、またはビームフォーミングを送信または受信することができる、1つまたは複数のアンテナアレイ内に位置し得る。たとえば、1つまたは複数の基地局アンテナまたはアンテナアレイは、アンテナタワーなどのアンテナアセンブリにおいて併置され得る。場合によっては、ネットワークアクセスデバイス105に関連するアンテナまたはアンテナアレイは、多様な地理的位置に位置し得る。ネットワークアクセスデバイス105は、ネットワークアクセスデバイス105がUE115との通信のビームフォーミングをサポートするために使用し得るアンテナポートのいくつかの行および列を有するアンテナアレイを有し得る。同様に、UE115は、様々なMIMO動作またはビームフォーミング動作をサポートし得る1つまたは複数のアンテナアレイを有し得る。
【００４６】
ワイヤレス通信システム100は、複数のセル上またはキャリア上での動作、すなわち、キャリアアグリゲーション(CA)またはマルチキャリア動作と呼ばれることがある特徴をサポートし得る。キャリアはまた、コンポーネントキャリア(CC)、レイヤ、チャネルなどとも呼ばれることがある。「キャリア」、「コンポーネントキャリア」、「セル」、および「チャネル」という用語は、本明細書では互換的に使用され得る。UE115は、キャリアアグリゲーション構成に従って、複数のダウンリンクCCと1つまたは複数のアップリンクCCとで構成され得る。キャリアアグリゲーションは、FDDコンポーネントキャリアとTDDコンポーネントキャリアの両方を用いて使用されてよい。UE115は、キャリアアグリゲーションのために、複数のダウンリンクCCと1つまたは複数のアップリンクCCとで構成され得る。キャリアアグリゲーションは、FDDコンポーネントキャリアとTDDコンポーネントキャリアの両方を用いて使用されてよい。
【００４７】
いくつかの例では、UE115はワイヤレス通信マネージャ120を含み得る。ワイヤレス通信マネージャ120は、複数の送信ビーム上でネットワークアクセスデバイス105によって送信されたビームトレーニングシーケンスを受信するために使用され得る。ワイヤレス通信マネージャ120はまた、受信されたビームトレーニングシーケンスに少なくとも部分的に基づいて、UE115のアンテナサブアレイとUE115のTXRUとの間で信号を経路指定するための少なくとも1つの構成に対応するマルチ送信ビームの1つまたは複数のセットを識別するために使用され得る。ワイヤレス通信マネージャ120は、マルチ送信ビームの識別された1つまたは複数のセットの指示をネットワークアクセスデバイス105に送信するためにさらに使用され得る。
【００４８】
いくつかの例では、ネットワークアクセスデバイス105はワイヤレス通信マネージャ140を含み得る。ワイヤレス通信マネージャ140は、複数の送信ビーム上でビームトレーニングシーケンスをUE115に送信するために使用され得る。ワイヤレス通信マネージャ140はまた、UE115のアンテナサブアレイとUE115のTXRUとの間で信号を経路指定するための少なくとも1つの構成に対応するマルチ送信ビームの1つまたは複数のセットの指示をUE115から受信するために使用され得る。ワイヤレス通信マネージャ140は、受信された指示に少なくとも部分的に基づいて、UE115と通信するために使用するための複数のビームの1つまたは複数のセットのうちの複数のビームのセットを選択するためにさらに使用され得る。
【００４９】
図2は、本開示の態様によるワイヤレス通信システム200の一例を示す。ワイヤレス通信システム200は、ネットワークアクセスデバイス205(たとえば、gNB、ANC、および/またはRH)とUE215とを含み得る。ワイヤレス通信システム200、ネットワークアクセスデバイス205、およびUE215は、図1を参照しながら説明したような、ワイヤレス通信システム、ネットワークアクセスデバイス、およびUEの態様の例であり得る。いくつかの例では、ネットワークアクセスデバイス205はミリメートル波基地局(MWB)であり得る。
【００５０】
ネットワークアクセスデバイス205は、送信ビーム220(たとえば、第1の送信ビーム220-aおよび第2の送信ビーム220-b)上でUE215に送信することができる。送信ビーム220は、いくつかのアンテナサブアレイ225(たとえば、第1のアンテナサブアレイ225-a、第2のアンテナサブアレイ225-b、第3のアンテナサブアレイ225-c、および第4のアンテナサブアレイ225-d)のうちの1つまたは複数から送信され得る。送信ビーム220は、いくつかのアンテナサブアレイ230(たとえば、第1のアンテナサブアレイ230-a、第2のアンテナサブアレイ230-b、第3のアンテナサブアレイ230-c、および第4のアンテナサブアレイ230-d)のうちの1つまたは複数において、UE215において受信され得る。いくつかの例では、ネットワークアクセスデバイス205およびUE215は、異なる数のアンテナサブアレイを有し得る。ネットワークアクセスデバイス205のアンテナサブアレイ225は、ネットワークアクセスデバイス205上に異なる位置、配向、または偏波を有し得、UE215のアンテナサブアレイ230は、UE215上に異なる位置、配向、または偏波を有し得る。
【００５１】
いくつかの条件下では、アンテナサブアレイ230のうちの1つまたは複数は、ブロックされる場合があり(たとえば、第4のアンテナサブアレイ230-dは、UE215のユーザの手によってブロックされる場合があり)、またはアンテナサブアレイ230のうちの1つまたは複数は、送信ビーム220を受信するために順最適方向に配向する場合がある(たとえば、第2のアンテナサブアレイ230-bおよび第3のアンテナサブアレイ230-cは、狭隅(エンドファイア)角から送信ビーム220を拾い上げる)。UE215内のスイッチまたは他の要素(たとえば、多重化要素)は、1つまたは複数のアンテナサブアレイ230に対するUE215の1つまたは複数のTXRUの接続を接続および変更して、たとえば、1つまたは複数のTXRUを、ブロックされているか、または不十分な信号受信を有するアンテナサブアレイ230に対する接続から、改善された信号受信または最高信号受信を有するアンテナサブアレイ230に対する接続に切り替えることができる。いくつかの例では、UE215は、複数のTXRU(たとえば、RFチェーンのすべてまたは一部)を有し得る。いくつかの例では、UEのアンテナサブアレイ230数は、UEのTXRU数よりも多い場合がある。
【００５２】
いくつかの例では、ネットワークアクセスデバイス205は、ビームトレーニングシーケンスをUE215に送信することができる。ビームトレーニングシーケンスは、たとえば、複数の送信ビーム220上の直列送信または並列送信を含み得る。UE215は、送信ビーム220に関する測定(たとえば、RSRP測定、RSSI測定、RSRQ測定など)を実行し、N個の最高ビームのビームインデックスをネットワークアクセスデバイス205に報告することができる。これらの測定は、ネットワークアクセスデバイス205が、ダイバーシティを備えていないランク1通信を使用してUE215と通信するために十分である。しかしながら、UE215が2つ以上のTXRUを有する場合、より高いランクまたは多重化MIMO送信を使用した通信が可能であり得る。追加または代替として、UE215は、アナログ領域またはデジタル領域においてマルチ送信ビーム220またはアンテナサブアレイ出力を結合して、ダイバーシティを提供すること、またはリンクマージンを改善することができる。
【００５３】
MIMO送信を使用してUE215と通信するのに先立って、ネットワークアクセスデバイス205は、UE215によって識別されたN個の最高送信ビームの1つまたは複数のサブセットを選択し、N個の最高送信ビームの選択されたサブセットを使用してUE215との通信を試験することができる。いくつかの例では、サブセットは、ダウンリンク上でチャネル状態情報基準信号(CSI-RS)送信またはアップリンク上でサウンディング基準信号(SRS)送信をスケジュールすることによって試験され得る。CSI-RSの場合、UE215は、送信ビームのどのサブセットが、最高データレートを達成するか、または目標を達成するために最も適しているかをネットワークアクセスデバイス205に報告することができる。SRSの場合、UE215は、ネットワークアクセスデバイス205によって選択されたビーム上で送信することができ、ネットワークアクセスデバイス205は、受信された送信から、送信ビームのどのサブセットが、最高達成可能スループットを提供するか、または目標を達成するために最も適しているかを判定することができる。
【００５４】
多重化利得を備えたMIMO送信に適することになる送信ビームのサブセットセットの場合、送信ビームは、UE215の異なるTXRUに接続可能でなければならない。ダウンリンク上で、UE215のアンテナサブアレイ230が、ビームパターンbを使用してネットワークアクセスデバイス205によって生成された無線波を受信し、アンテナサブアレイ230が、bにマッチする適切な指向性パターン(b')を適用することが可能であり、アンテナサブアレイ230の出力信号が1つまたは複数のスイッチ(または他の信号経路指定要素)を介してUE215のTXRUに経路指定され得るとき、ビームbは、UE215のTXRUに接続されていると見なされる。アップリンク上で、入力信号が、1つまたは複数のスイッチ(または、他の信号経路指定要素)を介してUE215のTXRUからUE215のアンテナサブアレイ230に経路指定され得、アンテナサブアレイ230が、ビームパターンbにマッチする適切な指向性パターン(b')を入力信号に適用して、無線波をネットワークアクセスデバイス205に送信することができるとき、ビームbは、UE215のTXRUに接続されていると見なされる。ネットワークアクセスデバイス205は、そのアンテナサブアレイに対してビームパターンbを使用して、UE215によって送信された無線波を受信することができる。送信ビームのサブセットがUE215の異なるTXRUに接続可能であるとき、送信ビームのサブセットは、MIMO対応であると見なされ得る。
【００５５】
ダイバーシティ利得を備えたMIMO送信に適することになる送信ビームのセットの場合、送信ビームは、1)UE215の異なるTXRUに接続可能でなければならないか、または2)アナログ領域において結合可能であり、UE215のTXRUに接続可能でなければならない。ダウンリンク上で、UE215が、ビームパターンb1およびb2の和にマッチする適切な指向性パターン(b')を使用して、単一のアンテナサブアレイ230において(または、追加され得る出力を有する異なるアンテナサブアレイ230において)ネットワークアクセスデバイス205によって生成されたビームb1およびb2上で無線波を受信し、単一のアンテナサブアレイ230の出力信号(または、異なるアンテナサブアレイ230の出力の和)が、1つまたは複数のスイッチ(または、他の要素)を介してUE215のTXRUに経路指定され得るとき、ビームb1およびb2は、アナログ領域において結合され、UE215のTXRUに接続されていると見なされる。アップリンク上で、入力信号が、1つまたは複数のスイッチ(または、他の経路指定要素)を介してUE215のTXRUからUE215の単一のアンテナサブアレイ230に(または、異なるアンテナサブアレイ230に)経路指定され得、単一のアンテナサブアレイ230(または、異なるアンテナサブアレイ230の組合せ)が、ビームパターンb1およびb2の和にマッチする適切な指向性パターン(b')を入力信号に適用して、無線波をネットワークアクセスデバイス205に送信することが可能であるとき、ビームb1およびビームb2は、アナログ領域において結合され、UE215のTXRUに接続されていると見なされる。ネットワークアクセスデバイス205は、ビームパターンb1およびb2の和を使用して、送信された無線波を受信することができる。送信ビームのサブセットがこれらの条件のうちの1つを満たすとき、送信ビームのサブセットは、MIMO対応であると見なされ得る。
【００５６】
UE215のアンテナサブアレイ230は、1つまたは複数のスイッチ(たとえば、電子スイッチ)またはUE215内の他の要素によって、UE215のTXRUに接続され得る(または、TXRUから接続解除され得る)。スイッチは、UE215のモデムによって制御され得、場合によっては、UE215の2つ以上のアンテナサブアレイ230をUE215の1つまたは複数のそれぞれのTXRUに同時に接続することができる。しかしながら、UE215のアンテナサブアレイ230の数がUE 215のTXRUの数を上回るとき、UE215のTXRU経路指定構成に対する各アンテナサブアレイ230は、1つまたは複数のアンテナサブアレイ230をUEのTXRUから接続解除されることになる。UE215が、アンテナサブアレイ230が接続解除される経路指定構成で動作している間、経路指定構成の接続解除されたアンテナサブアレイ230によってのみ受信され得る送信ビームを処理することはできない。本開示の目的で、UEの経路指定構成は、UEのスイッチ、またはUEのいくつかのアンテナサブアレイをUEのいくつかのTXRUに(また、TXRUを介してモデムに)接続する他の要素の構成であると定義される。アンテナサブアレイは、1つまたは複数のRFアップコンバータ、RFダウンコンバータ、アナログデジタルコンバータ(ADC)、デジタルアナログコンバータ(DAC)などによってTXRUに接続され得る。UEは、一度に1つの経路指定構成で構成され得る。UEのアーキテクチャ、MIMO送信モード(たとえば、MIMO多重化モードもしくはMIMOダイバーシティモード)、および/または受信されたビームに対して実行される測定は、UEの考えられる経路指定構成、およびどのアンテナサブアレイ230が接続解除されるかを判定し得る。
【００５７】
UE215の経路指定構成が、1つまたは複数のアンテナサブアレイ230をUEのTXRUから接続解除させ、N個の最高送信ビームのうちの1つが接続解除されたアンテナサブアレイ230によってのみ受信可能であるとき、N個の最高送信ビームのすべてのサブセットがMIMO対応というわけではない可能性が存在する。ネットワークアクセスデバイス205が(たとえば、送信ビームのサブセットを使用してCSI-RS送信またはSRS送信をスケジュールすることによって)MIMO対応ではない送信ビームのサブセットを使用したUE215との通信を試験するとき、多重化利得またはダイバーシティ利得は達成されず、送信ビームのサブセットの試験に費やされる時間は、無用であり得るか、または無駄であり得る。
【００５８】
図3は、本開示の態様によるUE315の1つの例示的なアーキテクチャ300を示す。UE315は、図1および図2を参照しながら説明したようなUE115または215の態様の一例であり得る。UE315は、ベースバンド処理システム(たとえば、モデム320)、いくつかのTXRU325(たとえば、第1のTXRU325-aおよび第2のTXRU325-b)と、いくつかのスイッチ330(たとえば、第1のスイッチ330-aおよび第2のスイッチ330-b)と、いくつかのアンテナサブアレイ335(たとえば、第1のアンテナサブアレイ335-a、第2のアンテナサブアレイ335-b、第3のアンテナサブアレイ335-c、および第4のアンテナサブアレイ335-d)とを含み得る。
【００５９】
いくつかの例では、ネットワークアクセスデバイスは、ビームトレーニングシーケンスをUE315へ送信し得る。ビームトレーニングシーケンスは、たとえば、複数の送信ビーム340(たとえば、送信ビームb0、b1、b2、b3およびb4)上の直列送信または並列送信を含み得る。例として、第1のスイッチ330-aが上の(U)位置にあるとき、送信ビームb0およびb1は各々、第1のTXRU325-aに接続可能であり、第1のスイッチ330-aが下の(L)位置にあるとき、送信ビームb2は第1のTXRU325-aに接続可能であり、第2のスイッチ330-bがU位置にあるとき、送信ビームb3は第2のTXRU325-bに接続可能であり、第2のスイッチ330-bがL位置にあるとき、送信ビームb4は第2のTXRU325-bに接続可能である。UE315のアーキテクチャ300により、送信ビームb0およびb2は、異なるTXRU325に接続可能ではなく、アナログ領域において結合可能でない。送信ビームb0およびb2は、したがって、アーキテクチャ300に関してMIMO対応ではない。同様の理由で、送信ビーム対{b1,b2}および{b3,b4}もMIMO対応ではない。送信ビーム対{b0,b3}、{b0,b4}、{b1,b3}、{b1,b4}、{b2,b3}、および{b2,b4}の送信ビームは、異なるTXRU325に接続可能であり、したがって、多重化利得またはダイバーシティ利得に関してMIMO対応である。加えて、送信ビーム対{b0,b1}の送信ビームは、アナログ領域において結合可能であり、したがって、ダイバーシティ利得に関してMIMO対応である。
【００６０】
MIMO対応送信ビームの指示(すなわち、UEの少なくとも1つの経路指定構成によって使用可能なマルチ送信ビームの少なくとも1つのセットの指示)をネットワークアクセスデバイスに送信すること(報告すること)によって、UE315は、ネットワークアクセスデバイスがUE315に対してMIMO対応ではない送信ビームのサブセット上でUE315との通信の試験を回避すること(たとえば、それぞれ、UE315へのまたはUE315からのCSI-RS送信またはSRS送信のスケジュールを回避すること)を可能にし得る。本開示の目的で、UE315の少なくとも1つの経路指定構成によって使用可能なマルチ送信ビームのセットは、多重化利得および/またはダイバーシティ利得を高めるマルチ送信ビームのセットを含み得る。いくつかの例では、MIMO対応送信ビームの指示は、複数の送信ビームよりも低い周波数に関連するチャネル上で(たとえば、mmWチャネルの代わりに、sub-6 GigaHertz(GHz)NR、LTE、3G、または2Gのチャネル上で)ネットワークアクセスデバイスに送信され得る。場合によっては、このチャネルは制御チャネルであり得る。アンテナサブアレイ335とTXRU325との間の1つまたは複数の接続が双方向(送信(Tx)および受信(Rx))通信を可能にしないとき、UE315は、MIMO対応送信ビームの第1の指示をダウンリンク上で送信し、MIMO対応送信ビームの第2の指示をアップリンク上で送信することができる。
【００６１】
いくつかの例では、ネットワークアクセスデバイスに送信されるMIMO対応送信ビームの指示は、UE315の異なるTXRU325に接続され得るマルチ送信ビームの1つまたは複数のセットの第1の指示(もしあれば)、およびアナログ領域において(たとえば、RF周波数領域または中間周波数(IF)領域において)結合され得、UE315のTXRU325に接続され得るマルチ送信ビームの1つまたは複数のセットの第2の指示を含み得る。本開示において、第1の指示は、SDIFF-TXRUと呼ばれることがあり、第2の指示は、SCOMBと呼ばれることがある。
【００６２】
いくつかの例では、UE315は、SDIFF-TXRUおよびSCOMB内に含まれたビームタプルの明示的な指示をネットワークアクセスデバイスに送信することができる。この例では、各ビームタプルは、ビーム(たとえば、送信ビーム)の対を含むが、各ビームタプルは、3つ以上のビームを含む場合があるか、またはタプルごとに様々な数のビームを含む場合がある。たとえば、UE315は、次の指示を送信することができる:
SDIFF-TXRU={{b0,b3},{b0,b4},{b1,b3},{b1,b4},{b2,b3},{b2,b4}}
SCOMB={{b0,b1}}
【００６３】
2つを超えるTXRU325を有するUEの場合、UEは、より高次のビームタプルを指示することもできる。たとえば、2≦L≦Mで、L個のTXRUに接続されたビームを同時に受信または送信することができるUEは、2つのビームのセット、3つのビームのセットなどをSDIFF-TXRUの部分として報告することができる。同様に、単一のアンテナサブアレイを介して、2つを超えるビームを同時に受信または送信することができるUEは、2つのビームのセット、3つのビームのセットなどをSCOMBの部分として報告することができる。
【００６４】
いくつかの例では、UE315は、SDIFF-TXRU内に含まれ得るビームタプル上で前処理を実行して、到来角(AoA)に近い可能性があるビームタプル、同じ偏波を有するビームタプル、または別様にMIMO多重化利得を実現するために好適ではないビームタプルを除去することができる。いくつかの例では、UE315は、ビームタプルのその報告をL個のTXRUに接続されたL個のビームの上位NL個のセットに制限し得る。
【００６５】
いくつかの例では、UE315は、SDIFF-TXRUおよびSCOMB内に含まれたビームタプルの代わりに、SDIFF-TXRUおよびSCOMB内に含まれたビームタプルの補数の指示をネットワークアクセスデバイスに送信することができる。SDIFF-TXRUおよびSCOMB内に含まれたビームタプルの補数は、UE315の経路指定構成のいずれかによって(多重化またはダイバーシティのために)使用不可能であるビームタプルである。たとえば、UE315は、次の指示を送信することができる(式中、
【００６６】
【数１】
2020503802.tif 000003
【００６７】
は、SDIFF-TXRU内に含まれたビームタプルの補数である):
【００６８】
【数２】
2020503802.tif 000004
【００６９】
図3に示す例を参照すると、
【００７０】
【数３】
2020503802.tif 000005
【００７１】
は、SDIFF-TXRUよりも小さなセットであり得、したがって、より小さなペイロードでネットワークアクセスデバイスに送信され得る。
【００７２】
いくつかの例では、UE315は、UE315によって受信された各送信ビームの指示、および各送信ビームに対する、送信ビームを受信するために使用可能であるUE315の1つまたは複数のTXRU325のセットを送信することができる。たとえば、図3を参照すると、UE315は、送信ビームおよびTXRU325の以下のリストを送信することができる:
(b0,TXRU0),(b1,TXRU0),(b2,TXRU0),(b3,TXRU1),(b4,TXRU1)
【００７３】
上記のリストから、ネットワークアクセスデバイスは、ビームタプル{b0,b2}が、たとえば、多重化利得に対してMIMO対応でないことを判定することができるが、これは、送信ビームが両方とも第1のTXRU325-a(すなわち、TXRU0)のみに接続され得るためである。ネットワークアクセスデバイスはまた、上記のリストから、ビームタプル{b0,b3}が多重化利得に対してMIMO対応であると判定することができるが、これは、送信ビームb0が第1のTXRU325-aに接続され得、送信ビームb3が第2のTXRU325-b(すなわち、TXRU1)に接続され得るためである。したがって、ネットワークアクセスデバイスは、SDIFF-TXRU内に含まれたビームタプルのセットを上記のリストから導出することができる。しかしながら、ネットワークアクセスデバイスは、SCOMB内に含まれたビームタプルのセットを上記のリストから導出することはできない。たとえば、ネットワークアクセスデバイスは、送信ビームb0、b1、およびb2はTXRU0に接続され得ると判定することができるが、ネットワークアクセスデバイスは、どの送信ビームがTXRU0に同時に接続され得るかを判定することはできない。したがって、前に説明したように、または以下で説明するように、SCOMBがネットワークアクセスデバイスに示され得る。
【００７４】
いくつかの例では、UE315は、UE315によって受信された各送信ビームの指示を送信することができ、各送信ビームに対して、UE315の1つまたは複数のTXRU325およびUE315の経路指定構成のセットが送信ビームを受信するために使用可能である。たとえば、図3を参照すると、UE315は、送信ビーム、TXRU325、および経路指定構成の以下のリストを送信することができる:
(b0,TXRU0,{UU,UL}),(b1,TXRU0,{UU,UL}),(b2,TXRU0,{LU,LL})、
(b3,TXRU1,{UU,LU}),(b4,TXRU1,{UL,LL})
式中、UUは、第1のスイッチ330-aがその上の位置にあり、第2のスイッチ330-bがその上の位置にある経路指定構成を識別し、ULは、第1のスイッチ330-aがその上の位置にあり、第2のスイッチ330-bがその下の位置にある経路指定構成を識別し、LUは、第1のスイッチ330-aがその下の位置にあり、第2のスイッチ330-bがその上の位置にある経路指定構成を識別し、LLは、第1のスイッチ330-aがその下の位置にあり、第2のスイッチ330-bがその下の位置にある経路指定構成を識別する。上記のリストから、ネットワークアクセスデバイスは、送信ビームb0およびb2がTXRU0に同時に接続されることを可能にする経路指定構成が存在しないと判定することができる。ネットワークアクセスデバイスはまた、上記のリストから、送信ビームb0およびb1が、経路指定構成UUまたはULを使用して、TXRU0に同時に接続され得ることを判定することができる。ネットワークアクセスデバイスはまた、上記のリストから、送信ビームb1およびb3が、経路指定構成UUを使用して、TXRU0およびTXRU1にそれぞれ同時に接続され得ることを判定することができる。したがって、ネットワークアクセスデバイスは、SDIFF-TXRU内およびSCOMB内に含まれたビームタプルのセットを上記のリストから導出することができる。
【００７５】
図4は、本開示の態様によるUE415の1つの例示的なアーキテクチャ400を示す。UE415は、図1および図2を参照しながら説明したようなUE115または215の態様の一例であり得る。UE415は、ベースバンド処理システム(たとえば、モデム420)と、いくつかのTXRU425(たとえば、第1のTXRU425-aおよび第2のTXRU425-b)と、いくつかのスイッチ430(たとえば、第1のスイッチ430-aおよび第2のスイッチ430-b)と、いくつかのアンテナサブアレイ435(たとえば、第1のアンテナサブアレイ435-a、第2のアンテナサブアレイ435-b、第3のアンテナサブアレイ435-c、および第4のアンテナサブアレイ435-d)とを含み得る。
【００７６】
図4は、UE415のアンテナサブアレイ435がUE315のアンテナサブアレイ335と同様に位置し、配向し、UE415が、図3を参照しながら説明したように、UE315に対するのと同じ(送信ビームb0、b1、b2、b3、およびb4を含む)ビームトレーニングシーケンスをUE315と同じネットワークアクセスデバイスから同様の様式で受信すると仮定する。しかしながら、UE315とは対照的に、第1のスイッチ430-aおよび第2のスイッチ430-bは、UU経路指定構成とLL経路指定構成との間で同時に切り替わる(移動する)。たとえば、UE415のアーキテクチャ400がUL経路指定構成またはLU経路指定構成をサポートしないように、第1のスイッチ430-aおよび第2のスイッチ430-bは連動し得る。結果として、送信ビームb2およびb3が異なるTXRUに別個に接続され得るにもかかわらず、これらの2つの送信ビームはMIMO対応ではない。
【００７７】
第1のスイッチ430-aおよび第2のスイッチ430-bの同時切替えにより、UE415は、UE415によって受信された各送信ビーム、および各送信ビームに対する、送信ビームを受信するために使用可能であるUE415の1つまたは複数のTXRU425のセットの指示を送信することによってSDIFF-TXRUをネットワークアクセスデバイスに示すことができない。しかしながら、UE415は、UE415によって受信された各送信ビーム、および各送信ビームに対する、1つまたは複数のTXRU425、および送信ビームを受信するために使用可能な、UE415の経路指定構成のセットの指示を送信することによって、SDIFF-TXRUをネットワークアクセスデバイスに示すことができる。たとえば、UE415は、送信ビーム、TXRU425、および経路指定構成の以下のリストを送信することができる:
(b0,TXRU0,U),(b1,TXRU0,U),(b2,TXRU0,L),(b3,TXRU1,U),
(b4,TXRU1,L)
式中、Uは、第1のスイッチ430-aおよび第2のスイッチ430-bがその上の位置にある経路指定構成を識別し、Lは、第1のスイッチ430-aおよび第2のスイッチ430-bがその低い位置にある経路指定構成を識別する。
【００７８】
場合によっては、MIMO対応ビーム(たとえば、SDIFF-TXRUまたはSCOMB)の指示は、ビーム精緻化手順を合理化するために使用され得る。ビーム精緻化手順は、ビームトレーニング手順の一部として実行されてよく、受信ビーム精緻化手順、送信ビーム精緻化手順、または送信/受信ビーム精緻化手順を含み得る。
【００７９】
図5は、本開示の態様による、受信ビーム精緻化手順が実行されるワイヤレス通信システム500の一例を示す。ワイヤレス通信システム500は、ネットワークアクセスデバイス505(たとえば、gNB、ANC、および/またはRH)とUE515とを含み得る。ワイヤレス通信システム500、ネットワークアクセスデバイス505、およびUE515は、図1〜図4を参照しながら説明した、ワイヤレス通信システム、ネットワークアクセスデバイス、およびUEの態様の例であり得る。いくつかの例では、ネットワークアクセスデバイス505はMWBであり得る。
【００８０】
ネットワークアクセスデバイス505は、送信ビーム520(たとえば、送信ビームb1)上でUE515に送信することができる。送信ビーム520は、ネットワークアクセスデバイス505のいくつかのアンテナサブアレイのうちの1つから送信され、受信ビーム525上でUE515のいくつかのアンテナサブアレイのうちの1つによって受信され得る。UE515は、送信ビーム520を検出するアンテナサブアレイに対する受信ビーム掃引を実行することができ、送信ビーム520に対する最高受信電力に関連する受信ビーム525を識別することができる。UE515は、送信ビーム520に対する最高受信電力に関連する受信ビーム525をネットワークアクセスデバイス505に示すことができる。
【００８１】
場合によっては、UEは、ネットワークアクセスデバイスによって送信された複数のビームの各々に対する最高受信電力に関連する受信ビームを識別することができる。いくつかの例では、異なる送信ビームに対する受信ビームは、異なる送信ビームの直列送信に応じて、直列に識別され得る。しかしながら、UEがダイバーシティ利得のために使用可能なMIMO対応送信ビームをネットワークアクセスデバイスに示すことができるとき、ネットワークアクセスデバイスは、並列で送信されたMIMO対応送信ビームのセットに対してビーム精緻化手順を実行し得る。
【００８２】
図6は、本開示の態様による、受信ビーム精緻化手順が実行されるワイヤレス通信システム600の一例を示す。ワイヤレス通信システム600は、ネットワークアクセスデバイス605(たとえば、gNB、ANC、および/またはRH)とUE615とを含み得る。ワイヤレス通信システム600、ネットワークアクセスデバイス605およびUE615は、図1〜図5を参照しながら説明したような、ワイヤレス通信システム、ネットワークアクセスデバイス、およびUEの態様の例であり得る。いくつかの例では、ネットワークアクセスデバイス605はMWBであり得る。
【００８３】
ネットワークアクセスデバイス605は、送信ビーム620(たとえば、第1の送信ビーム620-a(送信ビームb1)および第2の送信ビーム620-b(送信ビームb2))上でUE615に送信することができる。送信ビーム620は、ネットワークアクセスデバイス605の複数のアンテナサブアレイから送信され、UE615のいくつかのアンテナサブアレイのうちの1によって受信され得る。送信ビーム620は、複数の受信ビーム625上でUE615において受信され得る。UE615がMIMO対応送信ビームの1つまたは複数のセットをネットワークアクセスデバイス605に示すことができるとき、送信ビーム620が送信される前に、ネットワークアクセスデバイス605は、UE615と受信ビーム精緻化手順を実行するためのMIMO対応送信ビームのセットを選択することができる。受信ビーム精緻化手順は、MIMO対応送信ビームの選択されたセットを直交リソース上でネットワークアクセスデバイス605からUE615に同時に送信することを含み得る。UEサイドにおいて、受信ビーム精緻化手順は、(たとえば、送信ビーム620を検出するアンテナサブアレイに対して)受信ビーム掃引を実行することを含み得る。受信ビーム精緻化手順はまた、UE615において、第1の送信ビーム620-aに対する最高受信電力および第2の送信ビーム620-bに対する最高受信電力に関連する1つまたは複数の受信ビーム625を識別することを含み得る。UE615は、送信ビーム620に対する最高受信電力に関連する受信ビーム625をネットワークアクセスデバイス605に示すことができる。注目すべきことに、受信ビーム精緻化手順は、UE615による単一の受信ビーム掃引を用いてマルチ送信ビームに対して実行可能であり、これにより、送信ビームに対して受信ビーム精緻化手順を直列に実行するよりも時間リソースおよびエアリンクリソースを節約する。
【００８４】
ネットワークアクセスデバイスは、UEが、ダイバーシティ利得および多重化利得のために使用可能なMIMO対応送信ビームをネットワークアクセスデバイスに示すとき、並列に送信されたマルチ送信ビームに対してビーム精緻化手順を実行することもできる。
【００８５】
図7は、本開示の態様による、受信ビーム精緻化手順が実行されるワイヤレス通信システム700の一例を示す。ワイヤレス通信システム700は、ネットワークアクセスデバイス705(たとえば、gNB、ANC、および/またはRH)とUE715とを含み得る。ワイヤレス通信システム700、ネットワークアクセスデバイス705、およびUE715は、図1〜図6を参照しながら説明したような、ワイヤレス通信システム、ネットワークアクセスデバイス、およびUEの態様の例であり得る。いくつかの例では、ネットワークアクセスデバイス705はMWBであり得る。
【００８６】
ネットワークアクセスデバイス705は、複数の送信ビーム720(たとえば、第1の送信ビーム720-a(送信ビームb1)、第2の送信ビーム720-b(送信ビームb2)、および第3の送信ビーム720-c(送信ビームb3))上でUE715に送信することができる。送信ビーム720は、ネットワークアクセスデバイス705の複数のアンテナサブアレイから送信され、UE715の複数のアンテナサブアレイによって受信され得る。送信ビーム720は、複数の受信ビーム725上でUE715において受信され得る。UE715がMIMO対応送信ビームの1つまたは複数のセットをネットワークアクセスデバイス705に示すことができるとき、送信ビーム720が送信される前に、ネットワークアクセスデバイス705は、UE715と受信ビーム精緻化手順を実行するためのMIMO対応送信ビームのセットを選択することができる。受信ビーム精緻化手順は、MIMO対応送信ビームの選択されたセットを直交時間周波数リソース上でネットワークアクセスデバイス705からUE715に同時に送信することを含み得る。UEサイドにおいて、受信ビーム精緻化手順は、送信ビーム720のうちの1つまたは複数を検出し、UE715の異なるTXRUに接続される、UE715の各アンテナサブアレイに対して受信ビーム掃引を(同時に)実行することを含み得る。受信ビーム精緻化手順はまた、UE715において、第1の送信ビーム720-aに対する最高受信電力、第2の送信ビーム720-bに対する最高送信電力、および第3の送信ビーム720-cに対する最高受信電力に関連する1つまたは複数の受信ビーム725を識別することを含み得る。UE715は、送信ビーム720に対する最高受信電力に関連する受信ビーム725をネットワークアクセスデバイス705に示すことができる。
【００８７】
図8は、本開示の態様による、送信ビーム精緻化手順が実行されるワイヤレス通信システム800の一例を示す。ワイヤレス通信システム800は、ネットワークアクセスデバイス805(たとえば、gNB、ANC、および/またはRH)とUE815とを含み得る。ワイヤレス通信システム800、ネットワークアクセスデバイス805、およびUE815は、図1〜図7を参照しながら説明したような、ワイヤレス通信システム、ネットワークアクセスデバイス、およびUEの態様の例であり得る。いくつかの例では、ネットワークアクセスデバイス805はMWBであり得る。
【００８８】
UE815がMIMO対応送信ビームの1つまたは複数のセットをネットワークアクセスデバイス805に示すことができるとき、ネットワークアクセスデバイス805は、送信ビーム精緻化手順を実行するために、MIMO対応送信ビーム820(たとえば、第1の送信ビーム820-a(送信ビームb1)、第2の送信ビーム820-b(送信ビームb2)、および第3の送信ビーム820-c(送信ビームb3))のセットを選択することができる。ネットワークアクセスデバイス805は、MIMO対応送信ビーム820の選択されたセットを並列に受信するようにUE815をスケジュールすることができ、UE815は、1つまたは複数の受信ビーム825のセット上で(また、場合によっては、1つまたは複数の受信ビーム825の精緻化されたセット上で)MIMO対応送信ビーム820の各々を受信するようにそのアンテナサブアレイを構成することができる。示すように、送信ビーム820は、ネットワークアクセスデバイス805のいくつかのアンテナサブアレイから送信され、UE815のいくつかのアンテナサブアレイによって受信され得る。送信ビーム820の送信に加えて、ネットワークアクセスデバイス805は、送信ビーム820の各々に対して送信ビーム掃引を実行することができ、UE815は、各送信ビーム掃引における最高受信電力に関連する送信ビーム820を識別することができる。UE815は、各送信ビームにおける最高受信電力に関連する送信ビームをネットワークアクセスデバイス805に示すことができる。
【００８９】
図6、図7、および図8のコンテキストで、MIMO対応送信ビームの1つまたは複数のセットは、代替として、受信ビーム精緻化手順または送信ビーム精緻化手順の実行の間にUE615、715、または815によって同時に受信され得る送信ビームの1つまたは複数のセットと呼ばれることがある。
【００９０】
いくつかの例では、受信ビームと送信ビームの両方の精緻化は、様々な候補受信ビームに対して送信ビーム精緻化手順を連続的に実行することによって、または様々な候補送信ビームに対して受信ビーム精緻化手順を連続的に実行することによって、達成され得る。いずれの場合も、ネットワークアクセスデバイスは、UEから受信されたMIMO対応ビームの指示に基づいて、ビーム精緻化手順を実行するための複数のビームのセットを識別することができる。
【００９１】
図9は、本開示の態様による、UEまたはネットワークアクセスデバイスにおけるワイヤレス通信をサポートする装置900のブロック図を示す。装置900は、図1から図8を参照しながら説明したようなUEまたはネットワークアクセスデバイスの態様の一例であり得る。装置900は、アンテナサブアレイ910と、RFフロントエンド920と、ワイヤレス通信マネージャ930とを含み得る。装置900はまた、プロセッサを含み得る。これらの構成要素の各々は、互いに通信し得る。
【００９２】
アンテナサブアレイ910は、様々なチャネル(たとえば、制御チャネル、データチャネル、ブロードキャストチャネル、マルチキャストチャネル、ユニキャストチャネルなど)に関連する信号(たとえば、同期信号または基準信号)または情報(たとえば、制御情報またはユーザデータ)を受信または送信するためのアンテナサブアレイを含み得る。アンテナサブアレイは、RFスペクトル上で1つまたは複数のビームを受信することが可能であり得る。受信された信号および情報は、RFフロントエンド920によって(たとえば、周波数/時間追跡のために)使用されてもよく、またはワイヤレス通信マネージャ930を含む装置900の他の構成要素に渡されてもよい。アンテナサブアレイ910は、図2〜図8、図12、および図15を参照しながら説明したようなアンテナサブアレイの態様の一例であり得る。RFフロントエンド920は、図2〜図8、図12、および図15を参照しながら説明したような、RFフロントエンド、スイッチ(または、他の要素)、およびTXRUの態様の一例であり得る。
【００９３】
ワイヤレス通信マネージャ930は、装置900に対するワイヤレス通信の1つまたは複数の態様を管理するために使用可能であり、場合によっては、図3および図4を参照しながら説明したようなモデムの態様を有するモデムなどのモデムを含み得る。いくつかの例では、ワイヤレス通信マネージャ930は、図1、図12または図15を参照しながら説明したようなワイヤレス通信マネージャの態様の例であり得る。装置900がUE内に含まれるとき、ワイヤレス通信マネージャ930を使用して、アンテナサブアレイ910とRFフロントエンド920(たとえば、RFフロントエンド920のTXRU)との間で信号を経路指定するための少なくとも1つの構成に対応する複数のビームの1つまたは複数のセットを識別し、複数のビームの識別された1つまたは複数のセットの指示をネットワークアクセスデバイスに送信することができる。装置900がネットワークアクセスデバイス内に含まれるとき、ワイヤレス通信マネージャ930を使用して、UEのアンテナサブアレイとTXRUとの間で信号を経路指定するための少なくとも1つの構成に対応する複数のビームの1つまたは複数のセットの指示をUEから受信し、UEとの通信に使用するための複数のビームの1つまたは複数のセットから複数のビームのセットを選択することができる。
【００９４】
図10は、本開示の態様による、UEにおけるワイヤレス通信をサポートする装置1000のブロック図を示す。装置1000は、図1〜図9を参照しながら説明したようなUEまたは装置の態様の一例であり得る。装置1000は、アンテナサブアレイ1010と、RFフロントエンド1020と、ワイヤレス通信マネージャ1030とを含み得る。装置1000はまた、プロセッサを含み得る。これらの構成要素の各々は、互いに通信し得る。
【００９５】
アンテナサブアレイ1010は、様々なチャネル(たとえば、制御チャネル、データチャネル、ブロードキャストチャネル、マルチキャストチャネル、ユニキャストチャネルなど)に関連する信号(たとえば、同期信号または基準信号)または情報(たとえば、制御情報またはユーザデータ)を受信または送信するためのアンテナサブアレイを含み得る。アンテナサブアレイ1010は、RFスペクトル上で1つまたは複数のビームを受信または送信することが可能であり得る。受信された信号および情報は、RFフロントエンド1020によって(たとえば、周波数/時間追跡のために)使用されてもよく、またはワイヤレス通信マネージャ1030を含む装置1000の他の構成要素に渡されてもよい。アンテナサブアレイ1010は、図2〜図9、および図12を参照しながら説明したようなアンテナサブアレイの態様の一例であり得る。RFフロントエンド1020は、図2〜図9、および図12を参照しながら説明したような、RFフロントエンド、スイッチ(または、他の要素)、およびTXRUの態様の一例であり得る。
【００９６】
ワイヤレス通信マネージャ1030は、装置1000に対するワイヤレス通信の1つまたは複数の態様を管理するために使用可能であり、場合によっては、図3および図4を参照しながら説明したようなモデムの態様を有するモデムなどのモデムを含み得る。いくつかの例では、ワイヤレス通信マネージャ1030は、図1、図9または図12を参照しながら説明したようなワイヤレス通信マネージャの態様の一例であり得る。ワイヤレス通信マネージャ1030は、ビームトレーニングシーケンス受信マネージャ1035と、対応マルチビーム識別器(compatible multiple beam identifier)1040と、対応マルチビーム指示マネージャ(compatible multiple beam indication manager)1045とを含み得る。
【００９７】
ビームトレーニングシーケンス受信マネージャ1035を使用して、図3および図4を参照しながら説明したように、複数の送信ビーム上でネットワークアクセスデバイスによって送信されたビームトレーニングシーケンスを受信することができる。
【００９８】
対応マルチビーム識別器1040を使用して、図3および図4を参照しながら説明したように、装置1000のアンテナサブアレイ1010と装置1000のTXRUとの間で信号を経路指定するための少なくとも1つの構成に対応するマルチ送信ビームの1つまたは複数のセットを識別することができる。マルチ送信ビームの1つまたは複数のセットは、ビームトレーニングシーケンス受信マネージャ1035によって受信されたビームトレーニングシーケンスに少なくとも部分的に基づいて識別され得る。いくつかの例では、マルチ送信ビームの1つまたは複数のセットを識別することは、受信されたビームトレーニングシーケンスに少なくとも部分的に基づいて、RF通信多重化を実現するために使用可能なマルチ送信ビームの第1のセット、RF通信ダイバーシティを実現するために使用可能なマルチ送信ビームの第2のセット、またはそれらの組合せを識別することを含み得る。いくつかの例では、マルチ送信ビームの1つまたは複数のセットを識別することは、装置1000のRFアーキテクチャ、MIMO送信モード、複数の送信ビームに対する信号強度、またはそれらの組合せに少なくとも部分的に基づいて、マルチ送信ビームの1つまたは複数のセットを識別することを含み得る。いくつかの例では、装置1000のRFアーキテクチャに少なくとも部分的に基づいて、マルチ送信ビームの1つまたは複数のセットを識別することは、装置1000のアンテナサブアレイ1010と装置1000のTXRUとの間で信号を経路指定するための代替構成、アナログ領域においてビームを結合させるための装置1000の第1の能力、デジタル領域においてビームを結合させるための装置1000の第2の能力、またはそれらの組合せに少なくとも部分的に基づいて、マルチ送信ビームの1つまたは複数のセットを識別することを含み得る。
【００９９】
対応マルチビーム指示マネージャ1045を使用して、図3および図4を参照しながら説明したように、マルチ送信ビームの識別された1つまたは複数のセットの指示をネットワークアクセスデバイスに送信することができる。いくつかの例では、マルチ送信ビームの識別された1つまたは複数のセットの指示は、マルチ送信ビームの識別された1つまたは複数のセットの第1の指示、または装置1000のアンテナサブアレイ1010と装置1000のTXRUとの間で信号を経路指定するための任意の構成に対応しないマルチ送信ビームの1つまたは複数のセットの第2の指示、または複数の送信ビームの各受信されたビームに対する、送信ビームを受信するために使用可能な装置1000の1つまたは複数のTXRUのセットの第3の指示、または複数の送信ビームの各受信されたビームに対する、送信ビームを受信するために使用可能な、装置1000の1つまたは複数のTXRUと装置1000の関連する経路指定構成パラメータのセットとの第4の指示、またはそれらの組合せを少なくとも含み得る。いくつかの例では、マルチ送信ビームの識別された1つまたは複数のセットの指示を送信することは、複数の送信ビームに関連する1つまたは複数の周波数よりも低い周波数に関連するチャネル上で、マルチ送信ビームの識別された1つまたは複数のセットの指示をネットワークアクセスデバイスに送信することを含み得る。
【０１００】
図11は、本開示の態様によるワイヤレス通信マネージャ1130のブロック図を示す。ワイヤレス通信マネージャ1130は、図1、図9、図10、または図12を参照しながら説明したようなワイヤレス通信マネージャの態様の一例であり得、図1〜図8、および図12を参照しながら説明したようなUEのうちの1つなど、UE内に含まれてよい。
【０１０１】
ワイヤレス通信マネージャ1130は、ビームトレーニングシーケンス受信マネージャ1135と、オプションの使用可能なビーム識別器1150と、対応マルチビーム識別器1140と、オプションの使用可能なビーム指示マネージャ1155と、対応マルチビーム指示マネージャ1145と、オプションのMIMO通信マネージャ1160と、オプションのビーム精緻化マネージャ1165とを含み得る。これらの構成要素の各々は、(たとえば、1つまたは複数のバスを介して)直接的または間接的に互いに通信し得る。
【０１０２】
ビームトレーニングシーケンス受信マネージャ1135、対応マルチビーム識別器1140、および対応マルチビーム指示マネージャ1145は、図9を参照しながら説明したような、ビームトレーニングシーケンス受信マネージャ935、対応マルチビーム識別器940、および対応マルチビーム指示マネージャ945の態様の例であり得る。
【０１０３】
使用可能なビーム識別器1150を使用して、図2を参照しながら説明したように、ビームトレーニングシーケンス受信マネージャ1035によって受信されたビームトレーニングシーケンスの複数の送信ビームに少なくとも部分的に基づいて、ネットワークアクセスデバイスとワイヤレス通信マネージャ1130を含む装置との間の通信のために使用可能な1つまたは複数の送信ビームを識別することができる。
【０１０４】
使用可能なビーム指示マネージャ1155を使用して、図2を参照しながら説明したように、ネットワークアクセスデバイスと、ワイヤレス通信マネージャ1130を含む装置との間の通信のために使用可能な1つまたは複数の送信ビームの識別されたセットの指示をネットワークアクセスデバイスに送信することができる。
【０１０５】
MIMO通信マネージャ1160を使用して、図3および図4を参照しながら説明したように、マルチ送信ビームの1つまたは複数のセットの指示によって識別されたマルチ送信ビームのセットに少なくとも部分的に基づいて、MIMO送信を使用してネットワークアクセスデバイスと通信することができる。
【０１０６】
ビーム精緻化マネージャ1165を使用して、図6〜図8を参照しながら説明したように、ビーム精緻化手順を実行するための要求をネットワークアクセスデバイスに送信することができる。ビーム精緻化マネージャ1165を使用して、図6〜図8を参照しながら説明したように、マルチ送信ビームの1つまたは複数のセットの指示によって識別されたマルチ送信ビームのセットに少なくとも部分的に基づいて、ネットワークアクセスデバイスとビーム精緻化手順も実行し得る。
【０１０７】
図12は、本開示の態様によるワイヤレス通信システム1200の図を示す。ワイヤレス通信システム1200は、図1〜図10を参照しながら説明したようなUEまたは装置の態様の一例であり得るUE1215を含み得る。
【０１０８】
UE1215は、ワイヤレス通信マネージャ1230と、メモリ1250と、プロセッサ1240と、RFフロントエンド1220と、アンテナサブアレイ1210とを含み得る。これらの構成要素の各々は、(たとえば、1つまたは複数のバスを介して)直接的または間接的に互いに通信し得る。アンテナサブアレイ1210は、図2〜図10を参照しながら説明したようなアンテナサブアレイの態様の一例であり得る。RFフロントエンド1220は、図2〜図10を参照しながら説明したような、RFフロントエンド、スイッチ(または、他の要素)、およびTXRUの態様の一例であり得る。ワイヤレス通信マネージャ1230は、図1および図9〜図11を参照しながら説明したようなワイヤレス通信マネージャの態様の一例であり得る。
【０１０９】
メモリ1250は、ランダムアクセスメモリ(RAM)または読取り専用メモリ(ROM)を含み得る。メモリ1250は、実行されると、プロセッサ1240に、本明細書で説明する様々な機能(たとえば、複数の送信ビーム上でネットワークアクセスデバイスによって送信されたビームトレーニングシーケンスを受信すること、受信されたビームトレーニングシーケンスに少なくとも部分的に基づいて、UE1215のアンテナサブアレイ1210とUE1215のTXRUとの間で信号を経路指定するための少なくとも1つの構成に対応するマルチ送信ビームの1つまたは複数のセットを識別すること、およびマルチ送信ビームの識別された1つまたは複数のセットの指示をネットワークアクセスデバイスに送信すること)を実行させる命令を含む、コンピュータ可読、コンピュータ実行可能ソフトウェア1255を記憶することができる。場合によっては、ソフトウェア1255は、プロセッサ1240によって直接実行可能でないことがあるが、(たとえば、コンパイルおよび実行されたとき)本明細書で説明する機能をプロセッサ1240に実行させてよい。プロセッサ1240は、インテリジェントハードウェアデバイス(たとえば、中央処理ユニット(CPU)、マイクロコントローラ、特定用途向け集積回路(ASIC)など)を含み得る。
【０１１０】
RFフロントエンド1220は、本明細書で説明するように、1つまたは複数のアンテナサブアレイまたはワイヤードリンクを介して、1つまたは複数のネットワークと双方向に通信するように構成され得る。たとえば、RFフロントエンド1220は、基地局1205または別のUE1215-aと双方向に通信するように構成され得る。ワイヤレス通信マネージャ1230は、パケットを変調し、変調されたパケットを、送信のために、RFフロントエンド1220を介してアンテナサブアレイ1210に提供し、RFフロントエンド1220を介してアンテナサブアレイ1210から受信されたパケットを復調するためのモデムを含み得る。
【０１１１】
図13は、本開示の態様による、ネットワークアクセスデバイスにおけるワイヤレス通信をサポートする装置1300のブロック図を示す。装置1300は、図1〜図9を参照しながら説明したようなネットワークアクセスデバイスまたは装置の態様の一例であり得る。装置1300は、アンテナサブアレイ1310と、RFフロントエンド1320と、ワイヤレス通信マネージャ1330とを含み得る。装置1300はまた、プロセッサを含み得る。これらの構成要素の各々は、互いに通信し得る。
【０１１２】
アンテナサブアレイ1310は、様々なチャネル(たとえば、制御チャネル、データチャネル、ブロードキャストチャネル、マルチキャストチャネル、ユニキャストチャネルなど)に関連する信号(たとえば、同期信号または基準信号)または情報(たとえば、制御情報またはユーザデータ)を受信または送信するためのアンテナサブアレイを含み得る。アンテナサブアレイ1310は、RFスペクトル上で1つまたは複数のビームを受信または送信することが可能であり得る。受信された信号および情報は、RFフロントエンド1320によって(たとえば、周波数/時間追跡のために)使用されてもよく、またはワイヤレス通信マネージャ1330を含む装置1300の他の構成要素に渡されてもよい。アンテナサブアレイ1310は、図2〜図9、および図15を参照しながら説明したようなアンテナサブアレイの態様の一例であり得る。RFフロントエンド1320は、図2〜図9、および図15を参照しながら説明したような、RFフロントエンド、スイッチ(または、他の要素)、およびTXRUの態様の一例であり得る。
【０１１３】
ワイヤレス通信マネージャ1330は、装置1300のためのワイヤレス通信の1つまたは複数の態様を管理するために使用されてよく、場合によっては、モデムを含み得る。いくつかの例では、ワイヤレス通信マネージャ1330は、図1、図9または図15を参照しながら説明したようなワイヤレス通信マネージャの態様の一例であり得る。ワイヤレス通信マネージャ1330は、ビームトレーニングシーケンス送信マネージャ1335と、対応マルチビームマネージャ(compatible multiple beam manager)1340と、対応マルチビーム選択マネージャ(compatible multiple beam selection manager)1345とを含み得る。
【０１１４】
ビームトレーニングシーケンス送信マネージャ1335を使用して、図3および図4を参照しながら説明したように、複数の送信ビーム上でビームトレーニングシーケンスをUEに送信することができる。
【０１１５】
対応マルチビームマネージャ1340を使用して、図3および図4を参照しながら説明したように、UEのアンテナサブアレイとUEのTXRUとの間で信号を経路指定するための少なくとも1つの構成に対応するマルチ送信ビームの1つまたは複数のセットの指示をUEから受信することができる。
【０１１６】
対応マルチビーム選択マネージャ1345を使用して、図3、図4、および図6〜図8を参照しながら説明したように、受信された指示に少なくとも部分的に基づいて、UEと通信するために使用するためのマルチ送信ビームの1つまたは複数のセットのうちのマルチ送信ビームのセットを選択することができる。
【０１１７】
図14は、本開示の態様によるワイヤレス通信マネージャ1430のブロック図を示す。ワイヤレス通信マネージャ1430は、図1、図9、図13、または図15を参照しながら説明したようなワイヤレス通信マネージャの態様の一例であり得、図1〜図8、および図15を参照しながら説明したようなネットワークアクセスデバイスのうちの1つなど、ネットワークアクセスデバイス内に含まれてよい。
【０１１８】
ワイヤレス通信マネージャ1430は、ビームトレーニングシーケンス送信マネージャ1435と、オプションの使用可能なビームマネージャ1450と、対応マルチビームマネージャ1440と、オプションの使用可能なビーム選択マネージャ1455と、対応マルチビーム選択マネージャ1445と、オプションのMIMO通信マネージャ1460と、オプションのビーム精緻化マネージャ1465とを含み得る。これらの構成要素の各々は、(たとえば、1つまたは複数のバスを介して)直接的または間接的に互いに通信し得る。
【０１１９】
ビームトレーニングシーケンス送信マネージャ1435、対応マルチビームマネージャ1440、および対応マルチビーム選択マネージャ1445は、図13を参照しながら説明したような、ビームトレーニングシーケンス送信マネージャ1335、対応マルチビームマネージャ1340、および対応マルチビーム選択マネージャ1345の態様の例であり得る。
【０１２０】
使用可能なビームマネージャ1450を使用して、図2を参照しながら説明したように、ワイヤレス通信マネージャ1430含むネットワークアクセスデバイスとUEとの間の通信のために使用可能な1つまたは複数の送信ビームの指示をUEから受信することができる。
【０１２１】
使用可能なビーム選択マネージャ1455を使用して、図2を参照しながら説明したように、ワイヤレス通信マネージャ1430を含むネットワークアクセスデバイスとUEとの間の通信のために使用可能な1つまたは複数の送信ビームの受信された指示に少なくとも部分的に基づいて、UEと通信するために使用するための少なくとも1つの送信ビームを選択することができる。
【０１２２】
MIMO通信マネージャ1460を使用して、図3および図4を参照しながら説明したように、マルチ送信ビームの選択されたセットに少なくとも部分的に基づいて、MIMO送信を使用してUEと通信することができる。
【０１２３】
ビーム精緻化マネージャ1465を使用して、図6〜図8を参照しながら説明したように、マルチ送信ビームの選択されたセットに少なくとも部分的に基づいて、UEとビーム精緻化手順を実行し得る。
【０１２４】
図15は、本開示の態様によるワイヤレス通信システム1500の図を示す。ワイヤレス通信システム1500は、図1〜図9、および図13を参照しながら説明したようなネットワークアクセスデバイスまたは装置の態様の一例であり得るネットワークアクセスデバイス1505を含み得る。ネットワークアクセスデバイス1505は、通信を送信するための構成要素と通信を受信するための構成要素とを含む、UEとの双方向通信のための構成要素を含み得る。
【０１２５】
ネットワークアクセスデバイス1505は、ワイヤレス通信マネージャ1530と、メモリ1550と、プロセッサ1540と、RFフロントエンド1520と、アンテナサブアレイ1510と、ネットワークアクセスデバイス通信マネージャ1570と、ネットワーク通信マネージャ1560とを含み得る。これらの構成要素の各々は、(たとえば、1つまたは複数のバスを介して)直接的または間接的に互いに通信し得る。アンテナサブアレイ1510は、図2〜図9、および図13を参照しながら説明したようなアンテナサブアレイの態様の一例であり得る。RFフロントエンド1520は、図13を参照して説明したようなRFフロントエンドの態様の一例であり得る。ワイヤレス通信マネージャ1530は、図1、図9、図13、および図14を参照しながら説明したようなワイヤレス通信マネージャの態様の一例であり得る。
【０１２６】
メモリ1550はRAMまたはROMを含み得る。メモリ1550は、実行されると、プロセッサ1540に、本明細書で説明する様々な機能(たとえば、複数の送信ビーム上でビームトレーニングシーケンスをUEに送信すること、UEのアンテナサブアレイとUEのTXRUとの間で信号を経路指定するための少なくとも1つの構成に対応するマルチ送信ビームの1つまたは複数のセットの指示をUEから受信すること、および受信された指示に少なくとも部分的に基づいて、UEと通信するために使用するためのマルチ送信ビームの1つまたは複数のセットのうちのマルチ送信ビームのセットを選択すること)を実行させる命令を含む、コンピュータ可読、コンピュータ実行可能ソフトウェア1555を記憶することができる。場合によっては、ソフトウェア1555は、プロセッサ1540によって直接実行可能でないことがあるが、(たとえば、コンパイルおよび実行されたとき)本明細書で説明する機能をプロセッサ1540に実行させてよい。プロセッサ1540は、インテリジェントハードウェアデバイス(たとえば、CPU、マイクロコントローラ、ASICなど)を含み得る。
【０１２７】
RFフロントエンド1520は、本明細書で説明するように、1つまたは複数のアンテナサブアレイまたはワイヤードリンクを介して、1つまたは複数のネットワークと双方向に通信するように構成され得る。たとえば、RFフロントエンド1520は、UE1515またはUE1515-aと双方向で通信するように構成され得る。ワイヤレス通信マネージャ1530は、パケットを変調し、変調されたパケットを、送信のために、RFフロントエンド1520を介してアンテナサブアレイ1510に提供し、RFフロントエンド1520を介してアンテナサブアレイ1510から受信されたパケットを復調するためのモデムを含み得る。
【０１２８】
ネットワークアクセスデバイス通信マネージャ1570は、他のネットワークアクセスデバイス(たとえば、ネットワークアクセスデバイス1505-aまたは1505-b)との通信を管理することができる。いくつかの例では、ネットワークアクセスデバイス通信マネージャ1570は、ネットワークアクセスデバイス1505同士の間の通信を提供するためのX2インターフェースを提供することができる。
【０１２９】
ネットワーク通信マネージャ1560は、(たとえば、1つまたは複数のワイヤードリンクまたはワイヤレスリンクを介して)コアネットワーク1565との通信を管理することができる。たとえば、ネットワーク通信マネージャ1560は、UE115とコアネットワーク1565との間のデータの転送を管理することができる。
【０１３０】
図16は、本開示の態様による、UEにおけるワイヤレス通信のための方法1600を示すフローチャートを示す。方法1600の動作は、図1、図3、図4、および図6〜図12を参照しながら説明したように、UEまたはその構成要素によって実行され得る。いくつかの例では、方法1600の動作は、図1、および図9〜図12を参照しながら説明したようなワイヤレス通信マネージャによって実行され得る。いくつかの例では、UEは、以下で説明する機能を実行するためにUEの機能要素を制御するためのコードのセットを実行し得る。追加または代替として、UEは、専用ハードウェアを使用して、以下で説明する機能の態様を実行し得る。
【０１３１】
ブロック1605において、UEは、図3および図4を参照しながら説明したように、複数の送信ビーム上でネットワークアクセスデバイスによって送信されたビームトレーニングシーケンスを受信することができる。いくつかの例では、ブロック1605の動作は、図10および図11を参照して説明したようなビームトレーニングシーケンス受信マネージャを使用して実行され得る。
【０１３２】
ブロック1610において、UEは、図3および図4を参照しながら説明したように、UEのアンテナサブアレイとUEのTXRUとの間で信号を経路指定するための少なくとも1つの構成に対応するマルチ送信ビームの1つまたは複数のセットを識別することができる。マルチ送信ビームの1つまたは複数のセットは、ブロック1605において受信されたビームトレーニングシーケンスに少なくとも部分的に基づいて識別され得る。いくつかの例では、マルチ送信ビームの1つまたは複数のセットを識別することは、受信されたビームトレーニングシーケンスに少なくとも部分的に基づいて、RF通信多重化を実現するために使用可能なマルチ送信ビームの第1のセット、RF通信ダイバーシティを実現するために使用可能なマルチ送信ビームの第2のセット、またはそれらの組合せを識別することを含み得る。いくつかの例では、マルチ送信ビームの1つまたは複数のセットを識別することは、UEのRFアーキテクチャ、MIMO送信モード、複数の送信ビームに対する信号強度、またはそれらの組合せに少なくとも部分的に基づいて、マルチ送信ビームの1つまたは複数のセットを識別することを含み得る。いくつかの例では、UEのRFアーキテクチャに少なくとも部分的に基づいて、マルチ送信ビームの1つまたは複数のセットを識別することは、UEのアンテナサブアレイとUEのTXRUとの間で信号を経路指定するための代替構成、アナログ領域においてビームを結合させるためのUEの第1の能力、デジタル領域においてビームを結合させるためのUEの第2の能力、またはそれらの組合せに少なくとも部分的に基づいて、マルチ送信ビームの1つまたは複数のセットを識別することを含み得る。いくつかの例では、ブロック1610の動作は、図10および図11を参照しながら説明したような対応マルチビーム識別器を使用して実行され得る。
【０１３３】
ブロック1615において、UEは、図3および図4を参照しながら説明したように、マルチ送信ビームの識別された1つまたは複数のセットの指示をネットワークアクセスデバイスに送信することができる。いくつかの例では、マルチ送信ビームの識別された1つまたは複数のセットの指示は、マルチ送信ビームの識別された1つまたは複数のセットの第1の指示、またはUEのアンテナサブアレイとUEのTXRUとの間で信号を経路指定するための任意の構成に対応しないマルチ送信ビームの1つまたは複数のセットの第2の指示、または複数の送信ビームの各受信されたビームに対する、ビームを受信するために使用可能な、UEの1つまたは複数のTXRUのセットの第3の指示、または複数の送信ビームの各受信されたビームに対する、ビームを受信するために使用可能な、UEの1つまたは複数のTXRUとUEの関連する経路指定構成パラメータとのセットの第4の指示、またはそれらの組合せを少なくとも含み得る。いくつかの例では、マルチ送信ビームの識別された1つまたは複数のセットの指示を送信することは、複数の送信ビームに関連する1つまたは複数の周波数よりも低い周波数に関連するチャネル上で、マルチ送信ビームの識別された1つまたは複数のセットの指示をネットワークアクセスデバイスに送信することを含み得る。いくつかの例では、ブロック1615の動作は、図10および図11を参照しながら説明したような対応マルチビーム指示マネージャを使用して実行され得る。
【０１３４】
ブロック1620において、UEは、オプションで、図3および図4を参照しながら説明したように、マルチ送信ビームの1つまたは複数のセットの指示によって識別されたマルチ送信ビームのセットに少なくとも部分的に基づいて、MIMO送信を使用してネットワークアクセスデバイスと通信することができる。いくつかの例では、ブロック1620の動作は、図11を参照しながら説明したようなMIMO通信マネージャを使用して実行され得る。
【０１３５】
図17は、本開示の態様による、UEにおけるワイヤレス通信のための方法1700を示すフローチャートを示す。方法1700の動作は、図1、図3、図4、および図6〜図12を参照しながら説明したように、UEまたはその構成要素によって実行され得る。いくつかの例では、方法1700の動作は、図1、および図9〜図12を参照しながら説明したようなワイヤレス通信マネージャによって実行され得る。いくつかの例では、UEは、以下で説明する機能を実行するためにUEの機能要素を制御するためのコードのセットを実行し得る。追加または代替として、UEは、専用ハードウェアを使用して、以下で説明する機能の態様を実行し得る。
【０１３６】
ブロック1705において、UEは、図3および図4を参照しながら説明したように、複数の送信ビーム上でネットワークアクセスデバイスによって送信されたビームトレーニングシーケンスを受信することができる。いくつかの例では、ブロック1705の動作は、図10および図11を参照して説明したようなビームトレーニングシーケンス受信マネージャを使用して実行され得る。
【０１３７】
ブロック1710において、UEは、図3および図4を参照しながら説明したように、UEのアンテナサブアレイとUEのTXRUとの間で信号を経路指定するための少なくとも1つの構成に対応するマルチ送信ビームの1つまたは複数のセット識別することができる。マルチ送信ビームの1つまたは複数のセットは、ブロック1705において受信されたビームトレーニングシーケンスに少なくとも部分的に基づいて識別され得る。いくつかの例では、マルチ送信ビームの1つまたは複数のセットを識別することは、受信されたビームトレーニングシーケンスに少なくとも部分的に基づいて、RF通信多重化を実現するために使用可能なマルチ送信ビームの第1のセット、RF通信ダイバーシティを実現するために使用可能なマルチ送信ビームの第2のセット、またはそれらの組合せを識別することを含み得る。いくつかの例では、マルチ送信ビームの1つまたは複数のセットを識別することは、UEのRFアーキテクチャ、MIMO送信モード、複数の送信ビームに対する信号強度、またはそれらの組合せに少なくとも部分的に基づいて、マルチ送信ビームの1つまたは複数のセットを識別することを含み得る。いくつかの例では、UEのRFアーキテクチャに少なくとも部分的に基づいて、マルチ送信ビームの1つまたは複数のセットを識別することは、UEのアンテナサブアレイとUEのTXRUとの間で信号を経路指定するための代替構成、アナログ領域においてビームを結合させるためのUEの第1の能力、デジタル領域においてビームを結合させるためのUEの第2の能力、またはそれらの組合せに少なくとも部分的に基づいて、マルチ送信ビームの1つまたは複数のセットを識別することを含み得る。いくつかの例では、ブロック1710の動作は、図10および図11を参照しながら説明したような対応マルチビーム識別器を使用して実行され得る。
【０１３８】
ブロック1715において、UEは、図3および図4を参照しながら説明したように、マルチ送信ビームの識別された1つまたは複数のセットの指示をネットワークアクセスデバイスに送信することができる。いくつかの例では、マルチ送信ビームの識別された1つまたは複数のセットの指示は、マルチ送信ビームの識別された1つまたは複数のセットの第1の指示、またはUEのアンテナサブアレイとUEのTXRUとの間で信号を経路指定するための任意の構成に対応しないマルチ送信ビームの1つまたは複数のセットの第2の指示、または複数の送信ビームの各受信されたビームに対する、ビームを受信するために使用可能なUEの1つまたは複数のTXRUのセットの第3の指示、または複数の送信ビームの各受信されたビームに対する、ビームを受信するために使用可能な、UEの1つまたは複数のTXRUとUEの関連する経路指定構成パラメータとのセットの第4の指示、またはそれらの組合せを少なくとも含み得る。いくつかの例では、マルチ送信ビームの識別された1つまたは複数のセットの指示を送信することは、複数の送信ビームに関連する1つまたは複数の周波数よりも低い周波数に関連するチャネル上で、マルチ送信ビームの識別された1つまたは複数のセットの指示をネットワークアクセスデバイスに送信することを含み得る。いくつかの例では、ブロック1715の動作は、図10および図11を参照しながら説明したような対応マルチビーム指示マネージャを使用して実行され得る。
【０１３９】
ブロック1720において、UEは、オプションで、図6〜図8を参照しながら説明したように、ビーム精緻化手順を実行するための要求をネットワークアクセスデバイスに送信することができる。いくつかの例では、ブロック1720の動作は、図11を参照しながら説明したようなビーム精緻化マネージャを使用して実行され得る。
【０１４０】
ブロック1725において、UEは、オプションで、図6〜図8を参照しながら説明したように、複数のビームの1つまたは複数のセットの指示によって識別されたマルチ送信ビームのセットに少なくとも部分的に基づいて、ネットワークアクセスデバイスとビーム精緻化手順を実行し得る。いくつかの例では、ブロック1725の動作は、図11を参照しながら説明したようなビーム精緻化マネージャを使用して実行され得る。
【０１４１】
図18は、本開示の態様による、UEにおけるワイヤレス通信のための方法1800を示すフローチャートを示す。方法1800の動作は、図1、図3、図4、および図6〜図12を参照しながら説明したように、UEまたはその構成要素によって実行され得る。いくつかの例では、方法1800の動作は、図1、および図9〜図12を参照しながら説明したようなワイヤレス通信マネージャによって実行され得る。いくつかの例では、UEは、以下で説明する機能を実行するためにUEの機能要素を制御するためのコードのセットを実行し得る。追加または代替として、UEは、専用ハードウェアを使用して、以下で説明する機能の態様を実行し得る。
【０１４２】
ブロック1805において、UEは、図3および図4を参照しながら説明したように、複数の送信ビーム上でネットワークアクセスデバイスによって送信されたビームトレーニングシーケンスを受信することができる。いくつかの例では、ブロック1805の動作は、図10および図11を参照して説明したようなビームトレーニングシーケンス受信マネージャによって実行され得る。
【０１４３】
ブロック1810において、UEは、図2を参照しながら説明したように、ブロック1805において受信されたビームトレーニングシーケンスの複数の送信ビームに少なくとも部分的に基づいて、ネットワークアクセスデバイスとUEとの間の通信のために使用可能な1つまたは複数の送信ビームを識別することができる。いくつかの例では、ブロック1810の動作は、図11を参照しながら説明したような使用可能なビーム識別器を使用して実行され得る。
【０１４４】
ブロック1815において、UEは、図3および図4を参照しながら説明したように、UEのアンテナサブアレイとUEのTXRUとの間で信号を経路指定するための少なくとも1つの構成に対応する複数のビームの1つまたは複数のセットを識別することができる。マルチ送信ビームの1つまたは複数のセットは、ブロック1805において受信されたビームトレーニングシーケンスに少なくとも部分的に基づいて識別され得る。いくつかの例では、マルチ送信ビームの1つまたは複数のセットを識別することは、受信されたビームトレーニングシーケンスに少なくとも部分的に基づいて、RF通信多重化を実現するために使用可能なマルチ送信ビームの第1のセット、RF通信ダイバーシティを実現するために使用可能なマルチ送信ビームの第2のセット、またはそれらの組合せを識別することを含み得る。いくつかの例では、マルチ送信ビームの1つまたは複数のセットを識別することは、UEのRFアーキテクチャ、MIMO送信モード、複数の送信ビームに対する信号強度、またはそれらの組合せに少なくとも部分的に基づいて、マルチ送信ビームの1つまたは複数のセットを識別することを含み得る。いくつかの例では、UEのRFアーキテクチャに少なくとも部分的に基づいて、マルチ送信ビームの1つまたは複数のセットを識別することは、UEのアンテナサブアレイとUEのTXRUとの間で信号を経路指定するための代替構成、アナログ領域においてビームを結合させるためのUEの第1の能力、デジタル領域においてビームを結合させるためのUEの第2の能力、またはそれらの組合せに少なくとも部分的に基づいて、マルチ送信ビームの1つまたは複数のセットを識別することを含み得る。いくつかの例では、ブロック1815の動作は、図10および図11を参照しながら説明したような対応マルチビーム識別器を使用して実行され得る。
【０１４５】
ブロック1820において、UEは、図2を参照しながら説明したように、ネットワークアクセスデバイスとUEとの間の通信のために使用可能な1つまたは複数の送信ビームの識別されたセットの指示をネットワークアクセスデバイスに送信することができる。いくつかの例では、ブロック1820の動作は、図11を参照しながら説明したような使用可能なビーム指示マネージャを使用して実行され得る。
【０１４６】
ブロック1825において、UEは、図3および図4を参照しながら説明したように、マルチ送信ビームの識別された1つまたは複数のセットの指示をネットワークアクセスデバイスに送信することができる。いくつかの例では、マルチ送信ビームの識別された1つまたは複数のセットの指示は、マルチ送信ビームの識別された1つまたは複数のセットの第1の指示、またはUEのアンテナサブアレイとUEのTXRUとの間で信号を経路指定するための任意の構成に対応しないマルチ送信ビームの1つまたは複数のセットの第2の指示、または複数の送信ビームの各受信されたビームに対する、ビームを受信するために使用可能な、UEの1つまたは複数のTXRUのセットの第3の指示、または複数の送信ビームの各受信されたビームに対する、ビームを受信するために使用可能な、UEの1つまたは複数のTXRUとUEの関連する経路指定構成パラメータとのセットの第4の指示、またはそれらの組合せを少なくとも含み得る。いくつかの例では、マルチ送信ビームの識別された1つまたは複数のセットの指示を送信することは、複数の送信ビームに関連する1つまたは複数の周波数よりも低い周波数に関連するチャネル上で、マルチ送信ビームの識別された1つまたは複数のセットの指示をネットワークアクセスデバイスに送信することを含み得る。いくつかの例では、ブロック1825の動作は、図10および図11を参照しながら説明したような対応マルチビーム指示マネージャを使用して実行され得る。
【０１４７】
図19は、本開示の態様による、ネットワークアクセスデバイスにおけるワイヤレス通信のための方法1900を示すフローチャートを示す。方法1900の動作は、図1、図3、図4、および図6〜図9、ならびに図13〜図15を参照しながら説明したように、ネットワークアクセスデバイスまたはその構成要素によって実行され得る。いくつかの例では、方法1900の動作は、図1、図9、および図13〜図15を参照しながら説明したようなワイヤレス通信マネージャによって実行され得る。いくつかの例では、ネットワークアクセスデバイスは、以下で説明する機能を実行するためにネットワークアクセスデバイスの機能要素を制御するためのコードを実行し得る。追加または代替として、ネットワークアクセスデバイスは、専用ハードウェアを使用して、以下で説明する機能の態様を実行し得る。
【０１４８】
ブロック1905において、ネットワークアクセスデバイスは、図3および図4を参照しながら説明したように、複数の送信ビーム上でビームトレーニングシーケンスをUEに送信することができる。いくつかの例では、ブロック1905の動作は、図13および図14を参照して説明したようなビームトレーニングシーケンス送信マネージャを使用して実行され得る。
【０１４９】
ブロック1910において、ネットワークアクセスデバイスは、図3および図4を参照しながら説明したように、UEのアンテナサブアレイとUEのTXRUとの間で信号を経路指定するための少なくとも1つの構成に対応するマルチ送信ビームの1つまたは複数のセットの指示をUEから受信することができる。いくつかの例では、ブロック1910の動作は、図13および図14を参照しながら説明したような対応マルチビームマネージャを使用して実行され得る。
【０１５０】
ブロック1915において、ネットワークアクセスデバイスは、図3、図4、および図6〜図8を参照しながら説明したように、受信された指示に少なくとも部分的に基づいて、UEと通信するために使用するためのマルチ送信ビームの1つまたは複数のセットのうちのマルチ送信ビームのセットを選択することができる。いくつかの例では、ブロック1915の動作は、図13および図14を参照しながら説明したような対応マルチビーム選択マネージャを使用して実行され得る。
【０１５１】
ブロック1920またはブロック1925において、ネットワークアクセスデバイスは、オプションで、図3、図4、および図6〜図8を参照しながら説明したように、マルチ送信ビームの選択されたセットに少なくとも部分的に基づいて、MIMO送信を使用してUEと通信すること(ブロック1920において)、またはマルチ送信ビームの選択されたセットに少なくとも部分的に基づいて、UEとビーム精緻化手順を実行すること(ブロック1925において)ができる。いくつかの例では、ブロック1920の動作は、図14を参照しながら説明したようなMIMO通信マネージャを使用して実行され得るか、またはブロック1925の動作は、図14を参照しながら説明したようなビーム精緻化マネージャを使用して実行され得る。
【０１５２】
上記で説明した方法は、本開示で説明した技法の可能な実装形態を示す。いくつかの例では、図16、図17、または図18を参照しながら説明した方法1600、1700、および/または1800のうちの2つ以上からの態様が組み合わされ得る。いくつかの例では、方法の動作は、異なる順序で実行され、または異なる動作を含んでよい。いくつかの例では、方法のうちの1つの態様は、他の方法のうちの1つまたは複数のステップもしくは態様、または本明細書で説明した他のステップもしくは技法を含むことがある。
【０１５３】
本明細書で説明した技法は、CDMA、時分割多元接続(TDMA)、周波数分割多元接続(FDMA)、直交周波数分割多元接続(OFDMA)、SC-FDMA、および他のシステムなど、様々なワイヤレス通信システムのために使用され得る。「システム」および「ネットワーク」という用語は、しばしば、互換的に使用される。CDMAシステムは、CDMA2000、UTRAなどのような無線技術を実装し得る。CDMA2000は、IS-2000規格、IS-95規格、およびIS-856規格を対象とする。IS-2000のリリース0およびAは、CDMA2000 1X、1Xなどと呼ばれることがある。IS-856(TIA-856)は、CDMA2000 1xEV-DO、高速パケットデータ(HRPD)などと呼ばれることがある。UTRAは、広帯域CDMA(WCDMA(登録商標))、およびCDMAの他の変形を含む。TDMAシステムは、モバイル通信用グローバルシステム(GSM(登録商標))などの無線技術を実装し得る。OFDMAシステムは、ウルトラモバイルブロードバンド(UMB)、E-UTRA、電気電子技術者協会(IEEE)802.11(Wi-Fi)、IEEE802.16(WiMAX)、IEEE802.20、Flash-OFDM(商標)などの無線技術を実装し得る。UTRAおよびE-UTRAは、ユニバーサルモバイルテレコミュニケーションズシステム(UMTS)の一部である。3GPP LTEおよびLTE-Aは、E-UTRAを使用するUMTSの新しいリリースである。UTRA、E-UTRA、UMTS、LTE、LTE-A、およびGSM(登録商標)は、3GPPと称する団体からの文書に記載されている。CDMA2000およびUMBは、「第3世代パートナーシッププロジェクト2」(3GPP2)と称する団体からの文書に記載されている。本明細書で説明した技法は、免許不要帯域幅または共有帯域幅を介したセルラー(たとえば、LTE)通信を含む、上述のシステムおよび無線技術、ならびに他のシステムおよび無線技術のために使用され得る。しかしながら、上の説明は、例としてLTE/LTE-Aシステムを説明し、上の説明の大部分においてLTE用語が使用されるが、技法はLTE/LTE-A適用例以外に適用可能である。
【０１５４】
添付の図面に関して上記に記載した発明を実施するための形態は、例について説明しており、実装され得る例、または特許請求の範囲内にある例のすべてを表すとは限らない。この説明で使用される場合、「例」および「例示的」という用語は、「例、事例、または例示として機能すること」を意味し、「好ましい」または「他の例よりも有利である」ことを意味しない。発明を実施するための形態は、説明した技法の理解を可能にする目的で、具体的な詳細を含む。しかしながら、これらの技法は、これらの具体的な詳細を伴うことなく実践され得る。いくつかの事例では、説明した例の概念を不明瞭にすることを回避するために、よく知られている構造および装置がブロック図の形態で示される。
【０１５５】
情報および信号は、様々な異なる技術および技法のいずれかを使用して表されてよい。たとえば、上記の説明全体にわたって参照され得るデータ、命令、コマンド、情報、信号、ビット、記号、およびチップは、電圧、電流、電磁波、磁場もしくは磁性粒子、光場もしくは光学粒子、またはそれらの任意の組合せによって表されてよい。
【０１５６】
本明細書の本開示に関して説明した様々な例示的なブロックおよび構成要素は、汎用プロセッサ、デジタル信号プロセッサ(DSP)、ASIC、フィールドプログラマブルゲートアレイ(FPGA)もしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであってよいが、代替として、プロセッサは、任意の従来のプロセッサ、コントローラ、マイクロコントローラ、または状態機械であってよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成としても実装され得る。
【０１５７】
本明細書で説明した機能は、ハードウェア、プロセッサによって実行されるソフトウェア、ファームウェア、またはそれらの任意の組合せにおいて実装されてよい。プロセッサによって実行されるソフトウェアで実装される場合、機能は、1つまたは複数の命令またはコードとして、コンピュータ可読媒体上に記憶され、またはコンピュータ可読媒体を介して送信され得る。他の例および実装形態は、本開示および特許請求の範囲の範囲および趣旨内にある。たとえば、ソフトウェアの性質に起因して、上で説明した機能は、プロセッサによって実行されるソフトウェア、ハードウェア、ファームウェア、ハードワイヤリング、またはこれらのうちのいずれかの組合せを使用して実装され得る。機能を実施する特徴は、機能の部分が異なる物理的位置において実装されるように分散されることを含めて、様々な場所に物理的に位置し得る。特許請求の範囲内を含む、本明細書で使用される「および/または」という用語は、2つ以上の項目の列挙において使用されるとき、列挙される項目のうちのいずれか1つが単独で利用され得ること、または列挙される項目のうちの2つ以上の任意の組合せが利用され得ることを意味する。たとえば、組成物が構成要素A、B、および/またはCを含んでいるものとして説明される場合、組成物は、Aのみ、Bのみ、Cのみ、AとBの組合せ、AとCの組合せ、BとCの組合せ、またはA、B、およびCの組合せを含んでいることがある。また、特許請求の範囲内を含めて、本明細書で使用する場合、項目のリスト(たとえば、「のうちの少なくとも1つ」または「のうちの1つまたは複数」などの句で終わる項目のリスト)において使用される「または」は、たとえば、項目のリスト「のうちの少なくとも1つ」を指す句が単一のメンバーを含むそれらの項目の任意の組合せを指すような包括的リストを示す。一例として、「A、B、またはCのうちの少なくとも1つ」は、A、B、C、A-B、A-C、B-C、およびA-B-C、ならびに複数の同じ要素を有する任意の組合せ(たとえば、A-A、A-A-A、A-A-B、A-A-C、A-B-B、A-C-C、B-B、B-B-B、B-B-C、C-C、およびC-C-C、または任意の他の順序のA、B、およびC)を包含するものとする。
【０１５８】
本明細書で使用される「に基づいて」という句は、条件の閉集合を指すものと解釈されるべきではない。たとえば、「条件Aに基づく」ものとして説明した例示的な特徴は、本開示の範囲から逸脱することなく、条件Aと条件Bの両方に基づくことがある。言い換えると、本明細書で使用される「に基づいて」という句は、「に少なくとも部分的に基づいて」という句と同じように解釈されるものとする。
【０１５９】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスできる任意の利用可能な媒体であってもよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用されることが可能であり、汎用もしくは専用コンピュータまたは汎用もしくは専用プロセッサによってアクセスされることが可能である任意の他の非一時的媒体を備えることができる。また、いかなる接続も適切にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびBlu-ray(登録商標)ディスク(disc)を含み、ここで、ディスク(disk)は、通常、データを磁気的に再生し、ディスク(disc)は、データをレーザーで光学的に再生する。上記のもの組合せも、コンピュータ可読媒体の範囲内に含まれる。
【０１６０】
本開示のこれまでの説明は、当業者が本開示を作成または使用できるように与えられる。本開示の様々な変更は、当業者に容易に明らかになり、本明細書で定義する一般原理は、本開示の範囲から逸脱することなく他の変形形態に適用され得る。したがって、本開示は、本明細書で説明した例および設計に限定されるものではなく、本明細書で開示する原理および新規の技法と一致する最も広い範囲が与えられるべきである。
【符号の説明】
【０１６１】
100  ワイヤレス通信システム
105  ネットワークアクセスデバイス
105-a  gNB
105-b  アクセスノードコントローラ(ANC)
105-c  無線ヘッド(RH)
110  地理的カバレージエリア
115  UE
120  ワイヤレス通信マネージャ
125  通信リンク
130  コアネットワーク
132  バックホールリンク
134  バックホールリンク
140  ワイヤレス通信マネージャ
200  ワイヤレス通信システム
205  ネットワークアクセスデバイス
215  UE
220  送信ビーム
220-a  第1の送信ビーム
220-b  第2の送信ビーム
225  アンテナサブアレイ
225-a  第1のアンテナサブアレイ
225-b  第2のアンテナサブアレイ
225-c  第3のアンテナサブアレイ
225-d  第4のアンテナサブアレイ
230  アンテナサブアレイ
230-a  第1のアンテナサブアレイ
230-b  第2のアンテナサブアレイ
230-c  第3のアンテナサブアレイ
230-d  第4のアンテナサブアレイ
300  アーキテクチャ
315  UE
320  モデム
325  TXRU
325-a  第1のTXRU
325-b  第2のTXRU
330  スイッチ
330-a  第1のスイッチ
330-b  第2のスイッチ
335  アンテナサブアレイ
335-a  第1のアンテナサブアレイ
335-b  第2のアンテナサブアレイ
335-c  第3のアンテナサブアレイ
335-d  第4のアンテナサブアレイ
340  送信ビーム
400  アーキテクチャ
415  UE
420  モデム
425  TXRU
425-a  第1のTXRU
425-b  第2のTXRU
430  スイッチ
430-a  第1のスイッチ
430-b  第2のスイッチ
435  アンテナサブアレイ
435-a  第1のアンテナサブアレイ
435-b  第2のアンテナサブアレイ
435-c  第3のアンテナサブアレイ
435-d  第4のアンテナサブアレイ
500  ワイヤレス通信システム
505  ネットワークアクセスデバイス
515  UE
520  送信ビーム
525  受信ビーム
600  ワイヤレス通信システム
605  ネットワークアクセスデバイス
615  UE
620  送信ビーム
620-a  第1の送信ビーム
620-b  第2の送信ビーム
625  受信ビーム
700  ワイヤレス通信システム
705  ネットワークアクセスデバイス
715  UE
720  送信ビーム
720-a  第1の送信ビーム
720-b  第2の送信ビーム
720-c  第3の送信ビーム
725  受信ビーム
800  ワイヤレス通信システム
805  ネットワークアクセスデバイス
815  UE
820  MIMO対応送信ビーム
820-a  第1の送信ビーム
820-b  第2の送信ビーム
820-c  第3の送信ビーム
825  受信ビーム
900  装置
910  アンテナサブアレイ
920  RFフロントエンド
930  ワイヤレス通信マネージャ
1000  装置
1010  アンテナサブアレイ
1020  RFフロントエンド
1030  ワイヤレス通信マネージャ
1035  ビームトレーニングシーケンス受信マネージャ
1040  対応マルチビーム識別器
1045  対応マルチビーム指示マネージャ
1130  ワイヤレス通信マネージャ
1135  ビームトレーニングシーケンス受信マネージャ
1140  対応マルチビーム識別器
1145  対応マルチビーム指示マネージャ
1150  使用可能ビーム識別器
1155  使用可能ビーム指示マネージャ
1160  MIMO通信マネージャ
1165  ビーム精緻化マネージャ
1200  ワイヤレス通信システム
1210  アンテナサブアレイ
1215  UE
1220  RFフロントエンド
1230  ワイヤレス通信マネージャ
1240  プロセッサ
1250  メモリ
1300  装置
1310  アンテナサブアレイ
1320  RFフロントエンド
1330  ワイヤレス通信マネージャ
1335  ビームトレーニングシーケンス送信マネージャ
1340  対応マルチビームマネージャ
1345  対応マルチビーム選択マネージャ
1430  ワイヤレス通信マネージャ
1435  ビームトレーニングシーケンス送信マネージャ
1440  対応マルチビームマネージャ
1445  対応マルチビーム選択マネージャ
1450  使用可能なビームマネージャ
1455  使用可能なビーム選択マネージャ
1460  MIMO通信マネージャ
1465  ビーム精緻化マネージャ
1500  ワイヤレス通信システム
1505  ネットワークアクセスデバイス
1505-a  ネットワークアクセスデバイス
1505-b  ネットワークアクセスデバイス
1510  アンテナサブアレイ
1515  UE
1515-a  UE
1520  RFフロントエンド
1530  ワイヤレス通信マネージャ
1540  プロセッサ
1550  メモリ
1555  ソフトウェア
1560  ネットワーク通信マネージャ
1565  コアネットワーク
1570  ネットワークアクセスデバイス通信マネージャ
1600  方法
1700  方法
1800  方法
1900  方法
【図１】
2020503802.tif 000006
【図２】
2020503802.tif 000007
【図３】
2020503802.tif 000008
【図４】
2020503802.tif 000009
【図５】
2020503802.tif 000010
【図６】
2020503802.tif 000011
【図７】
2020503802.tif 000012
【図８】
2020503802.tif 000013
【図９】
2020503802.tif 000014
【図１０】
2020503802.tif 000015
【図１１】
2020503802.tif 000016
【図１２】
2020503802.tif 000017
【図１３】
2020503802.tif 000018
【図１４】
2020503802.tif 000019
【図１５】
2020503802.tif 000020
【図１６】
2020503802.tif 000021
【図１７】
2020503802.tif 000022
【図１８】
2020503802.tif 000023
【図１９】
2020503802.tif 000024
【国際調査報告】
2020503802.tif 000025
2020503802.tif 000026